(57)【要約】【課題】観察者が造形物を観察する方向を変更すると造形物の色が異なって見える効果を有する造形物、その造形物を製造する造形物製造装置及び造形物製造方法を提供する。【課題を解決するための手段】  表面及び複数の色面を有し該表面の少なくとも一部と該複数の色面の少なくとも一部が平行でなく該複数の色面の少なくとも一部と該複数の色面以外の少なくとも一部とで色が異なる造形物とする。【選択図】図７
2017213838.tif 000002
【特許請求の範囲】
【請求項１】
表面及び複数の色面を有し、
該表面の少なくとも一部と該複数の色面の少なくとも一部が平行でなく、
該複数の色面の少なくとも一部と該複数の色面以外の少なくとも一部の色が異なる
ことを特徴とする造形物。
【請求項２】
前記複数の色面の少なくとも一部が万線状である、
請求項１に記載の造形物。
【請求項３】
前記複数の色面の１／２５以上が万線状である、
請求項１又は２に記載の造形物。
【請求項４】
前記複数の色面の少なくとも一部の前記表面と直交する方向の長さが前記複数の色面の前記表面の方向における間隔の１／４以上である、
請求項１から３のいずれかに記載の造形物。
【請求項５】
前記複数の色面の少なくとも一部の前記表面と直交する方向の長さが前記複数の色面の前記表面の方向における間隔の１／３以上である、
請求項１から４のいずれかに記載の造形物。
【請求項６】
少なくとも一部において色面最小露出率が１／３以下である、
請求項１から５のいずれかに記載の造形物。
【請求項７】
前記色面最小露出率が１／４以下である、
請求項６に記載の造形物。
【請求項８】
少なくとも一部において前記複数の色面の１つの前記表面と平行な方向の長さが万線ピッチの２倍以上である、
請求項１から７のいずれかに記載の造形物。
【請求項９】
前記複数の色面の方向が複数である、
請求項１から８のいずれかに記載の造形物。
【請求項１０】
前記複数の方向のうち少なくとも２つの方向のなす角度が７２°から１０８°である、
請求項９に記載の造形物。
【請求項１１】
少なくとも一部において前記複数の色面の方向が異なる複数の領域が互いにほぼ隣接している、
請求項９又は１０に記載の造形物。
【請求項１２】
少なくとも一部において前記複数の色面がほぼ隣接する数が４以上である、
請求項１から１１のいずれかに記載の造形物。
【請求項１３】
前記複数の色面又は該複数の色面以外の部分の少なくとも一方の色が各部で異なる、
請求項１から１２のいずれかに記載の造形物。
【請求項１４】
複数の部分領域を有し、少なくとも１つの部分領域と別の部分領域とで前記複数の色面の色及び該複数の色面の方向が異なる、
請求項１から１３のいずれかに記載の造形物。
【請求項１５】
少なくとも一部が透明か半透明か発光するかの少なくともいずれかである、
請求項１から１４のいずれかに記載の造形物。
【請求項１６】
少なくとも一部において前記複数の色面の間の少なくとも一部が透明又は半透明の固体で埋められている、
請求項１から１５のいずれかに記載の造形物。
【請求項１７】
前記表面の少なくとも一部が有色透明又は有色不透明である、
請求項１から１６のいずれかに記載の造形物。
【請求項１８】
少なくとも一部において前記色面以外の部分の色が同じ
請求項１から１７のいずれかに記載の造形物。
【請求項１９】
底面を有し、
該底面の少なくとも一部と前記複数の色面の少なくとも一部が平行でない、
請求項１から１８のいずれかに記載の造形物。
【請求項２０】
前記表面の少なくとも一部と前記底面の少なくとも一部の色が同じ、
請求項１９に記載の造形物。
【請求項２１】
前記表面の少なくとも一部と前記底面の少なくとも一部の色が異なる、
請求項１９又は２０に記載の造形物。
【請求項２２】
少なくとも一部において、前記表面と視線のなす角度が１４°以下となる方向から観察者が前記造形物を見た時、前記底部が見えない又は前記色面を通してのみ見える
請求項１９から２１のいずれかに記載の造形物。
【請求項２３】
前記複数の色面の少なくとも一部が前記表面の少なくとも一部と接し、
前記複数の色面の少なくとも一部が前記底面の少なくとも一部と接し、
少なくとも一部において前記表面及び前記複数の色面及び前記底面が凹凸状をなす
請求項１９から２２のいずれかに記載の造形物。
【請求項２４】
少なくとも一部において前記表面又は前記底面の少なくとも一方の幅又は長さの少なくとも一方又は前記表面又は前記底面の少なくとも一方の数の少なくとも一方が各部で異なる、
請求項２３に記載の造形物。
【請求項２５】
前記複数の色面の少なくとも一部の表面と直交する方向の長さが前記底面の幅の３１／２倍以下である、
請求項２３又は２４に記載の造形物。
【請求項２６】
一部において前記表面又は前記底面の幅及び長さが０である、
請求項２３から２５のいずれかに記載の造形物。
【請求項２７】
それに基づいて加工すべき画像を取得する画像取得部と、
前記画像に基づいて材料の一部を除去し、表面及び複数の色面を有し該表面の少なくとも一部と該複数の色面の少なくとも一部が平行でなく該複数の色面の少なくとも一部と該複数の色面以外の少なくとも一部の色が異なる造形物を造形する加工部をそなえる
ことを特徴とする造形物製造装置。
【請求項２８】
それに基づいて加工すべき画像を取得する画像取得部と、
前記画像に基づいて材料を加工し、表面及び複数の色面を有し該表面の少なくとも一部と該複数の色面の少なくとも一部が平行でなく該複数の色面の少なくとも一部と該複数の色面以外の少なくとも一部の色が異なる造形物を造形する加工部をそなえる
ことを特徴とする造形物製造装置。
【請求項２９】
それに基づいて加工すべき画像を取得する画像取得工程と、
前記画像に基づいて材料の一部を除去し、表面及び複数の色面を有し該表面の少なくとも一部と該複数の色面の少なくとも一部が平行でなく該複数の色面の少なくとも一部と該複数の色面以外の少なくとも一部の色が異なる造形物を造形する加工工程をそなえる
ことを特徴とする造形物製造方法。
【請求項３０】
それに基づいて加工すべき画像を取得する画像取得工程と、
前記画像に基づいて材料を加工し、表面及び複数の色面を有し該表面の少なくとも一部と該複数の色面の少なくとも一部が平行でなく該複数の色面の少なくとも一部と該複数の色面以外の少なくとも一部の色が異なる造形物を造形する加工工程をそなえる
ことを特徴とする造形物製造方法。
【発明の詳細な説明】
【技術分野】
【０００１】
本発明は、造形物、その造形物を製造する造形物製造装置及び造形物製造方法に関する。
【背景技術】
【０００２】
従来、特許文献１及び特許文献２に記載の発明のように、互いに異なる色の複数の板や紙等を積層し、その積層の一部を除去することによって内部の着色層を表出させる、という造形方法や造形物が知られている。
【先行技術文献】
【特許文献】
【０００３】
【特許文献１】特開平１０−１２３９３３号公報
【特許文献２】特開２００５−１７９８４４号公報
【発明の概要】
【発明が解決しようとする課題】
【０００４】
上記の特許文献に記載の造形材料や装飾品では、積層の一部が除去されることで断面部分が露出するものの、その視覚的特性は等方的であった。つまり、観察者が視点の位置や造形材料又は装飾品に相対する角度を変更しても、単に隠れたり現れたりする部分が異なるにすぎず、対象が全体として示す特徴に変化はなかった。すなわち、上記の特許文献では、造形物が見方によって別の様相を呈するような技術及び技術思想は開示されていない。
【０００５】
また、上記の特許文献では、造形材料や装飾品内部の着色層の色を変更する技術も開示されていない。
【０００６】
本発明は、上記各特許文献に記載の発明とは異なり、観察者が造形物を観察する方向を変更すると造形物の色が異なって見える効果（以下、異方性カラーリング効果と記載する）を有し、多様な色が見える造形物とその造形物を製造する造形物製造装置及び造形物製造方法の提供を課題とする。
【課題を解決するための手段】
【０００７】
本発明の１つの態様は、表面及び複数の色面を有し、該表面の少なくとも一部と該複数の色面の少なくとも一部が平行でなく、該複数の色面の少なくとも一部と該複数の色面以外の少なくとも一部の色が異なることを特徴とする造形物である。
【０００８】
前記複数の色面の少なくとも一部が万線状でもよく、前記複数の色面の１／２５以上が万線状でもよい。また、前記複数の色面の少なくとも一部の前記表面と直交する方向の長さが前記複数の色面の前記表面の方向における間隔の１／４以上でもよく、１／３以上でもよい。また、前記造形物の少なくとも一部において色面最小露出率が１／３以下でもよく、１／４以下でもよく、１／５以下でもよく、前記複数の色面の１つの前記表面と平行な方向の長さが万線ピッチの２倍以上でもよい。
【０００９】
前記複数の色面の方向が複数でもよく、該複数の方向のうち少なくとも２つの方向のなす角度が７２°から１０８°でもよい。また、前記造形物の少なくとも一部において該方向が異なる複数の領域が互いにほぼ隣接していてもよく、前記複数の色面がほぼ隣接する数が４以上でもよい。
【００１０】
前記複数の色面又は該複数の色面以外の部分の少なくとも一方の色が各部で異なってもよい。また、前記造形物は複数の部分領域を有し、少なくとも１つの部分領域と別の部分領域とで前記複数の色面の色及び該複数の色面の方向が異なってもよい。
【００１１】
前記造形物の少なくとも一部が透明か半透明か発光するかの少なくともいずれかでもよく、少なくとも一部において前記複数の色面の間の少なくとも一部が透明又は半透明の固体で埋められていてもよく、前記表面の少なくとも一部が有色透明又は有色不透明でもよい。また、前記造形物の少なくとも一部において前記色面以外の部分の色が同じでもよい。
【００１２】
前記造形物は、底面を有してもよく、該底面の少なくとも一部と前記複数の色面の少なくとも一部が平行でなくともよい。また、前記表面の少なくとも一部と前記底面の少なくとも一部の色が同じでもよく、異なってもよい。また、前記造形物の少なくとも一部において、前記表面と視線のなす角度が１４°以下となる方向から観察者が前記造形物を見た時、前記底部が見えない又は前記色面を通してのみ見えてもよい。さらに、前記複数の色面の少なくとも一部が前記表面の少なくとも一部と接し、前記複数の色面の少なくとも一部が前記底面の少なくとも一部と接し、少なくとも一部において前記表面及び前記複数の色面及び前記底面が凹凸状をなしてもよく、少なくとも一部において前記表面又は前記底面の少なくとも一方の幅又は長さの少なくとも一方又は前記表面又は前記底面の少なくとも一方の数の少なくとも一方が各部で異なってもよく、前記複数の色面の少なくとも一部の表面と直交する方向の長さが前記底面の幅の３１／２倍以下でもよく、前記造形物の一部において前記表面又は前記底面の幅及び長さが０でもよい。
【００１３】
本発明の別の態様は、それに基づいて加工すべき画像を取得する画像取得部と、前記画像に基づいて材料の一部を除去し、表面及び複数の色面を有し該表面の少なくとも一部と該複数の色面の少なくとも一部が平行でなく該複数の色面の少なくとも一部と該複数の色面以外の少なくとも一部の色が異なる造形物を造形する加工部をそなえることを特徴とする造形物製造装置である。
【００１４】
本発明の別の態様は、それに基づいて加工すべき画像を取得する画像取得部と、前記画像に基づいて材料を加工し、表面及び複数の色面を有し該表面の少なくとも一部と該複数の色面の少なくとも一部が平行でなく該複数の色面の少なくとも一部と該複数の色面以外の少なくとも一部の色が異なる造形物を造形する加工部をそなえることを特徴とする造形物製造装置である。
【００１５】
本発明の別の態様は、それに基づいて加工すべき画像を取得する画像取得工程と、前記画像に基づいて材料の一部を除去し、表面及び複数の色面を有し該表面の少なくとも一部と該複数の色面の少なくとも一部が平行でなく該複数の色面の少なくとも一部と該複数の色面以外の少なくとも一部の色が異なる造形物を造形する加工工程をそなえることを特徴とする造形物製造方法である。
【００１６】
本発明の別の態様は、それに基づいて加工すべき画像を取得する画像取得工程と、前記画像に基づいて材料を加工し、表面及び複数の色面を有し該表面の少なくとも一部と該複数の色面の少なくとも一部が平行でなく該複数の色面の少なくとも一部と該複数の色面以外の少なくとも一部の色が異なる造形物を造形する加工工程をそなえることを特徴とする造形物製造方法である。
【発明の効果】
【００１７】
本発明による造形物では、観察者が造形物をたとえば正面から見た場合には見えないかほとんど見えないが、たとえば斜めから見た場合には見えるような部分が存在し、この部分の色が造形物の他の部分の色とは異なることにより、異方性カラーリング効果が得られ、さらに色面の反射による異方性反射効果も得られ、造形物の色が多様に見える。効果の詳細は発明を実施するための形態に記載する。
【図面の簡単な説明】
【００１８】
【図１】第１の実施形態に係る造形物製造装置の構成を示す図である。
【図２】第１の実施形態に係る造形物製造方法のフローチャートである。
【図３】画像取得部が取得する万線画像の例を示す図である。
【図４】材料への加工工程を示す断面図である。
【図５】造形物の別の製造法を示す図である。
【図６】造形物の溝部の各層と視線との関係を示す断面図である。
【図７】造形物の例を示す図である。
【図８】造形物全体と視線との関係を示す図である。
【図９】造形物全体と視線との関係を示す別の図である。
【図１０】透明な材料によってなる造形物を示す図である。
【図１１】透明な材料によってなる造形物の溝部の断面図である。
【図１２】透明な造形物の側面の高さと視線との関係を示す図である。
【図１３】透明な造形物の側面の高さと視線との関係を示す別の図である。
【図１４】不透明な造形物の溝部の高さと入射光の角度との関係を示す断面図である。
【図１５】色面最小露出率及び対向色面狭長率の算出に必要な数値を示す図である。
【図１６】各種色面視認限界視角の算出に必要な数値を示す図である。
【図１７】造形物を見る視線の方向と見える部分の関係を示す図である。
【図１８】造形物を見る視線の方向と見える部分の関係を示す別の図である。
【図１９】画像取得部が取得する画像及び画像取得部が取得しスクリーン処理を行った画像の例を示す図である。
【図２０】万線方向及び側面の色が互いに異なる複数の部分領域を有する造形物と視点を示す図である
【図２１】第２の実施形態に係る造形物製造装置の構成を示す図である。
【図２２】第２の実施形態に係る造形物製造方法のフローチャートである。
【図２３】異なる方向の側面が交差する造形物を示す図である。
【図２４】さまざまな方向の側面を有する造形物を示す図である。
【図２５】単立色面狭長率の算出に必要な数値を示す図である。
【図２６】透明な材料によってなる造形物を示す別の図である。
【発明を実施するための形態】
【００１９】
［実施の形態の概要］
本発明の実施の形態には、材料の一部が彫刻等によって除去又は破壊される第１の実施形態と、３Ｄプリントや射出成形等によって造形物が形成される第２の実施形態がある。第１及び第２の実施形態が併用されてもよい。なお、以下の実施の形態は実施例も兼ねる。
［第１の実施形態］
【００２０】
図１は、第１の実施形態に係る造形物製造装置１０の構成を示す図である。図２は、第１の実施形態に係る造形物製造方法のフローチャートである。以下、図１及び図２を参照して、造形物製造装置１０の構成及び動作を説明する。造形物製造装置１０は、画像取得部１１と、材料取得部１２と、加工部１３とを備える。また造形物製造方法は、画像取得工程Ｓ１１、材料取得工程Ｓ１２、加工工程Ｓ１３よりなる。
【００２１】
画像取得部１１は、加工のための平面的パターンのデータ等の画像１を取得又は生成する（以下、「画像１」ではない単なる「画像」はより一般的な画像等を指す）。画像取得部１１はたとえばコンピュータを有し、記憶媒体に記憶された平面的パターンのデータを読み出して使用してもよく、加工のつど外部からデータを取得してもよく、取得したデータをもとに別のデータを生成してもよく、演算等によってデータを新たに生成してもよい。画像１は単純な平行線や格子柄や幾何学模様でもよく、ロゴ、画像化された文字、写真画像・イラスト・ＣＧ・各種図形・地図等でもよく、ＣＡＤ等による三次元画像データでもよく、数式等によって記述されていてもよい。造形物製造装置１０はアナログ工程処理もでき、その場合画像１はアナログ画像信号や、フィルム・紙焼き等の物理的媒体も含む。
画像取得部１１は画像１に適宜変更を加える。たとえば、画像取得部１１は、画像１がラスタ画像ならベクタ画像に変換する等、加工に適した形式に変換したり、加工サイズに変倍したりする。画像取得部１１は画像１を各種加工方法に適したピッチ等の、たとえば図３のような万線３に変換してもよく、はじめから万線画像の状態で取得してもよい。画像取得部１１は、万線画像ではなく、網点等の複数のドットによる画像・複数の方向の線が集合した画像・自由な線による線画等を取得又は生成してもよい。そして、画像取得部１１は加工に最適化された画像１を加工部１３に渡す。
【００２２】
本明細書において万線とは、画像では方向を伴う長さを有する複数の線が平面上で互いにほぼ平行に配置されたものであり、線は長さの方向に直交する幅を有してもよい。長さの方向に直交する方向を幅の方向とする。線の間は線とは異なる色であってもよい。造形物では、万線とは前記画像が表面や内部に奥行きを伴って造形されたものである。この造形により万線状の複数の面ができ、それらはほぼ平行でもよい。また線は直線に限られず、波線、曲線、平行曲線、同心円、連続しない点線・破線、放射状、あるいは入れ子状の図形の輪郭線も含む。万線が放射状の場合、１つの線の幅の変化や変化の度合が制限されることにより、平行線に近似した放射状が好ましく、たとえば幅が最も狭い部分と最も広い部分の比が１：４以下又は１：２以下であるか、両端の線がなす角度が３０°以下又は１５°以下が好ましい。
【００２３】
材料取得部１２は、加工部１３が加工するための材料２を製造するか、外部から取得する。材料２は、金属・プラスチック・木材・紙・各種繊維・ガラス・セラミック・カーボン素材等の固形物及び固化する液状物等からなり、これらが複数重ねられて接着等で固定された積層材でもよく、金属等の基底材に塗装・染色・メッキ・アルマイト処理等で着色されたものでもよく、それらが併用されたものでもよい。なお、本明細書において色とは、造形物各部の物性に基づく色相・彩度・濃度・透明度・光沢・面粗さ・反射率・偏光特性・屈折特性等の差による色の変化等のあらゆる視覚的パラメータを含み、材料２は上記パラメータのうち少なくともいずれかが異なる複数の層よりなっていてもよい。
【００２４】
材料２は３層以上からなっていてもよい。つまり、造形物の表側であって、視線から最も手前の層（以下、本明細書では表面層と記載）、その逆の裏側にある層（以下、裏面層と記載）、表面層と裏面層の間にある中間層である。それらは互いに異なる色で着色されてもよい。またそれらはそれぞれ複数の層に分かれていてもよい。その場合、材料２の一部、たとえば周辺部等が３層未満であってもよい。なお、材料２は、原材料から材料取得部によって加工されて上記材料２となることもあり、材料取得部が取得する前から材料２であることもあるが、本明細書ではこれらを区別せず、一律に材料２として扱う。画像１についても同様である。
【００２５】
本発明が提供する造形物は立体物でもよく、表面が曲面でもよいが、本明細書では、説明の都合上、平面的板状造形物の製造を前提に説明する。板状造形物が壁面に設置されていれば観察される側が一方のみで固定されており、見える部分は常に一定である。しかし、造形物が、両面が見える状態で設置されているか固定されていなければ、一方の片側から見られるだけでなく、他方の側からも見られることがある。造形物が表面と裏面を有する時も、観察者は表面及び裏面のいずれからも見ることができ、もっぱら裏面の側から見ることもできる。表面・表面層等は他の部分とそれらを区別するための名称であって、表面層の側からのみ観察されることを意味するものではない。あるいは、造形物製造装置１０は両側を表面として製造してもよい。立体物の場合、造形物の複数の層のうち最も奥に見える層が裏面層でもよく、裏面層は内部にあってもよい。造形物製造装置１０は立体物の全体を表面層として製造してもよい。また、本発明が提供する造形物の表面の形状はさまざまである。表面は平滑でもよい。造形物が凹凸を有する場合、表面は凸部の先端の平面であってもよく、複数の凸部の先端によってなる仮想的な平面又は平面の集合又は曲面であってもよい。
【００２６】
表面層Ｌｙ１・中間層Ｌｙ２・裏面層Ｌｙ３に着色された色を、それぞれＡ色・Ｂ色・Ｃ色とする。材料取得部１２は、たとえば、金属製の裏面層Ｌｙ３に、塗装によって中間層Ｌｙ２と表面層Ｌｙ１を重ねて材料２を製造する。以下、このような材料２を用いる工程を中心に説明するが、本発明はこの工程に限定されるものではなく、適宜別の実施例も記載する。また、本明細書に記載の実施例以外の工程及び材料も採用可能である。
【００２７】
加工部１３は、機械加工・電気的加工・化学加工・砥粒吹付加工・光学的加工等の、材料の一部を除去するような各種の加工を用いてもよく、これらを複合して用いてもよい。これらを本明細書では彫刻加工と記載する。加工部１３は画像１に基づき、たとえば図４のように、エンドミル等の切削工具をそなえ所定のプログラムで動作するＮＣフライス盤により、材料取得部１２から送られた材料２に彫刻加工を施して造形物１００とする。加工部１３は、切削加工以外の加工法の場合にはそれに応じた設備を備える。加工部１３は、表面層Ｌｙ１と中間層Ｌｙ２を突き抜けるが、裏面層Ｌｙ３は切削してもよく切削しなくてもよい。図４のようにエンドミルＭが表面Ｓに対して垂直に切削すれば、表面Ｓと側面Ｆのなす角度は９０°となり、表面層Ｌｙ１と中間層Ｌｙ２は同一の範囲が切削される。加工法によっては、側面Ｆに傾斜がつくことがあり、表面層Ｌｙ１の除去範囲より中間層Ｌｙ２の除去範囲のほうがわずかに狭い、又は広いことがある。なお色面とはたとえば側面Ｆである。
【００２８】
図５のように、材料取得部１２が２層の材料２を製造又は取得し、加工部１３が材料２に２層を貫通する抜き加工を行い溝部Ｇ及び凸部Ｒを造形してから裏面層Ｌｙ３を貼り合わせてもよい。また加工部１３は、単色や完成段階の造形物１００より少ない色の材料を彫刻した後、その一部を着色してもよく、造形物１００をたとえば赤で造形したのち、全部または一部を青で着色し、表面を研削するなどして青の着色部分を除去することで表面部分に赤を露出させてもよい。
【００２９】
図６は造形物１００の溝部Ｇの幅方向の断面図である。中間層Ｌｙ２は、彫刻加工前には端面以外すべて表面層Ｌｙ１に覆われていたが、彫刻によって溝部Ｇの側面Ｆに露出する。しかし、図６のＶ１のように、観察者が造形物１００を正面から見た場合、中間層Ｌｙ２は表面層Ｌｙ１に隠れて見えないか、又はほぼ見えない。その結果、表面層Ｌｙ１のＡ色と、溝部Ｇの底面Ｂｔに露出している裏面層Ｌｙ３のＣ色の２色で構成された彫刻パターンが視認できる。表面層Ｌｙ１の除去範囲より中間層Ｌｙ２の除去範囲のほうがわずかに狭く、表面層Ｌｙ１の残っている範囲より中間層Ｌｙ２の残っている範囲のほうがわずかに広い場合でも、表面に垂直な正面方向から見て中間層Ｌｙ２が見える部分はわずかなので、Ｂ色はほとんど見えず、全体に対する影響は無視できる。なお、この図は概念図であり、この図の溝部Ｇと同じスケールの造形物１００と視点との距離はより大きいことが多い。以下の断面図等でも同様である。
次に図６のＶ２のように、観察者が造形物１００に対する視線方向を傾けて斜め方向から見ると、表面層Ｌｙ１に隠れていた側面Ｆが見えるようになる。これにより、Ａ色・Ｃ色だけでなくＢ色も見えることで、正面から見た場合とは色調が変化して見える。
図６のＶ３のように、観察者が造形物１００に対する視線方向をさらに傾けて横に近い斜め方向から見ると、Ｃ色が見えず、Ａ色とＢ色のみが見えるようになることがある。しかも、側面Ｆに正対する状態に近づいていくため、側面Ｆに露出する中間層Ｌｙ２がより広く見えることになり、表面ＳのＡ色部分は斜めから見るために細くなり、視野内におけるＢ色の占める割合が増大する。そのため色調がより変化する。このように、色の組合せが視線方向で異なることにより、造形物が示す視覚的様相が一変する。表面層Ｌｙ１が薄く中間層Ｌｙ２が厚いほど、またＡ色又はＣ色とＢ色の色相が異なるほど効果的である。
【００３０】
画像１が図３ａのように複数の平行線による万線３の場合、これに基づき加工部１３が加工した造形物１００には万線状の溝部Ｇが造形され、図７のように互いにほぼ平行の側面Ｆが並ぶ。ここでほぼとは、たとえばレーザ加工を用いると側面Ｆにわずかに傾斜が生じ、溝部Ｇの断面が台形又は逆台形状等となることがあり、そのような加工誤差を含むという意味である。側面Ｆの一部、たとえば側面Ｆの表面側の境界線が平行であってもよい。それぞれの溝部Ｇ及び凸部Ｒでは、観察者の視点Ｖ４の位置によってはＣ色が見えず、Ａ色部分の幅も狭く見え、Ｂ色の比率が高く見える。そのような溝部Ｇ及び凸部Ｒの組合せが多数並ぶことで、観察者が斜めから見た造形物１００は、単なるＡ色とＢ色の縞模様ではない、独特なイリュージョン感を醸成するひとかたまりの色の面として見える。これが本発明の目的とする異方性カラーリング効果である。
【００３１】
造形物１００が平面的板状である場合、図８に示すように、視点Ｖ５の観察者が造形物１００を正面から見ている場合でも、視線が表面Ｓに垂直であるのは造形物１００の一点に対してのみであり、そこから遠い部分ほど視線の傾きは大きくなっていく。つまり、造形物１００の中心を正面から見ている場合、周辺に近くなるほど側面Ｆが見えてくる。これは、造形物と目の距離が大きければ無視できるが、近接すると目立つようになる。そして、前段落記載の効果と合わせて、造形物１００の各部に複雑な色合いが浮かび上がってくる。たとえば、造形物１００の中心部に比較的近い部分ではＡ色Ｃ色のみが見え、その周囲ではＡ色Ｂ色Ｃ色のすべてが見え、その外側ではＡ色Ｂ色のみが見える、というように、位置によって見え方が変化する。加えて、観察者が視点Ｖ５を移動させたり造形物１００を傾けたりすると、そのような異方性カラーリングの中心が造形物１００の別の箇所へと移動し、その点を中心とした異方性カラーリングの関係が出現する。こうして各部の色合いが微妙に変化することで、造形物１００は特有の視覚的効果を発揮する。
【００３２】
加工部１３が図４のようにエンドミルＭを材料２に対して垂直に下して切削するのではなく、傾けて切削した場合、視線を同じ方向に傾けて造形物１００を見れば、上記と同様の効果が得られる。他の加工法でも同様に溝部Ｇの方向を傾けた加工が可能である。
【００３３】
加工部１３は、造形物１００の各部で側面Ｆの角度を変更することができる。たとえば加工部１３は、ガルバノ式等のレーザヘッドが固定された加工機を用いることで、図９のように、溝部Ｇの形状が、造形物１００の中心部では表面Ｓに対してほぼ垂直であるが、周辺部では表面Ｓから底面Ｂｔに向かって放射状に広がるように加工できる。これにより、加工時にレーザ照射方向が交わっていた位置Ｖ６から観察者が見た時に、造形物１００全体の側面Ｆが見えないという効果が得られる。
【００３４】
Ａ色とＣ色が同じ場合、観察者が造形物１００を正面から見た際に中間層Ｌｙ２が表面層Ｌｙ１からはみ出して見えないか、はみ出して見える部分が狭ければ、正面から見ると画像がほとんど見えず、斜めから見るとＢ色が見えるという効果が得られる。さらに、裏面層Ｌｙ３にかかる凸部Ｒの影により、Ａ色とＣ色が同じ場合でもＣ色がわずかに暗くなることで、その２色によりほのかに画像が見える効果も付与される。
【００３５】
造形物１００の少なくとも一部が透明又は半透明でもよく、発光してもよい。たとえば加工部１３は、図１０のように、一部に着色された透明の樹脂板を切断加工し、無色の樹脂製透明板Ｔに接着してもよく、無色透明の樹脂板を切断し透明板Ｔに接着後に着色してもよい。これによる造形物１００は、側面Ｆのみが有色透明又は不透明色のＢ色で、それ以外の部分が無色透明となる。これは、正面方向の視線では透明なガラスのように向こう側の風景が見えるが、視線が斜め方向となる部分にはＢ色が現れる、という効果を奏する。異方性カラーリング効果が生じるのは造形物の溝部に限られず、たとえば造形物の内部や端部でもよいので、この場合の溝部Ｇが透明樹脂等で埋められてもよい。このような加工を行った透明板Ｔでは、外側の端面部分から光が入射すると、板内部で反射して側面Ｆが明るく発光する効果も呈する。加工部１３は透明板Ｔを半透明とし、裏面から発光させてもよい。
【００３６】
この造形物１００を斜め方向から見ると、図１０のように、凸部Ｒの視点に近い側の側面ＦのＢ色が直接見えるだけでなく、凸部Ｒの視点から遠い側の側面ＦのＢ色も、凸部Ｒを透過して見えるので、不透明な溝部Ｇが同じ数並んでいる場合の２倍の数の側面Ｆが見えることになる。そのため、比較的正面に近い傾斜角度から観察者が見た場合でも、また、凸部Ｒの幅や万線ピッチＰｔが比較的広くても、ある部分の全面がＢ色に見え、より有利である。この場合、表面ＳのＡ色は無色透明でもよいが、有色透明であれば、Ａ色を通して同様の効果が得られる。加工部１３は凸部Ｒと透明板Ｔが接する境界部分Ｂｏを着色してもよい。Ｂ色がごく薄い膜状の層による着色であれば、凸部Ｒを正面等から見た場合にＢ色はほとんど見えない。なお、万線ピッチＰｔは、造形物１００において凸部Ｒ１の幅方向の中心Ｃｎ１から凸部Ｒ１に最も近い別の凸部Ｒ２の幅方向の中心Ｃｎ２までの幅方向の距離であるが、造形物１００に凸部Ｒがない場合には、側面Ｆとその側面Ｆに隣接する別の側面Ｆにさらに隣接する別の側面Ｆとの距離でもよい。
【００３７】
加工部１３は、図１１ａのように透明板Ｔに幅がきわめて狭い（たとえばレーザ加工による０．１５ｍｍ幅の）溝部Ｇを加工後に側面Ｆを着色してＢ色としてもよく、さらに図１１ｂのように溝部Ｇを透明樹脂等で埋め充填部Ｆｉとしてもよい。なお、図１１は説明のための概念図であり、実際には各溝部Ｇの幅は深さと比較してこの図より狭いことが多い。加工部１３は、図１１ｃのように充填部Ｆｉ自体に着色してＢ色としてもよく、その場合には溝部Ｇの幅の差によりＢ色の濃度が変化することがある。充填部Ｆｉの露出部分にＢ色と異なるＤ色を重ねて溝部Ｇを目立たなくしてもよい。Ｄ色は彩度の低いグレーか、Ｄ色が透明の場合にはＢ色の補色系が好適であり、後者の場合には、たとえば正面からはＢ色と混色されることで溝部Ｇがグレーに近く見える。溝のほぼ全部がＢ色に見えるか、溝の奥の部分がＢ色の場合、透明板Ｔの表面の反対側の面が底面Ｂｔとされてもよく、この部分の色がＣ色とされてもよい。このような溝部Ｇを有する造形物１００は、前段落及び図１０と同様の効果を有し、図５のような貼り合わせ等の手間がなく、表面の凹凸が少なく、透明度のムラが少ない等の多くの利点を有する。
【００３８】
本発明は、複数の側面Ｆを有する造形物１００をたとえば斜めから見た時に、たとえば正面からはほぼ見えない複数の側面Ｆが連なってひとかたまりとして見えることで、その一帯の色が変化して見えることを一つの特徴とする。しかし、その一帯の色が見る方向により変化するという特徴を定量的に記載することが困難であるため、それに代えて、本明細書ではその一帯の要素である個別の側面Ｆや溝部Ｇについての値を用いてその特徴の実現度合の尺度とする。以下、色面高間隔率・色面最小露出率・対向色面狭長率・各種色面視認限界視角・最小中間層膜厚として、その定式化の方法と値を記載する。
【００３９】
造形物１００が透明の材料によってなる場合、溝部Ｇが深く、側面Ｆが高いほど、視線が表面に直交する状態に近くてもＢ色が見える割合が高くなり、異方性カラーリング効果が向上する。図１２は溝部Ｇの溝方向に直交する断面図である。透明材料の屈折を考慮せず、Ｂ色の部分の厚さが無視できるほど薄いとすると、図１２ａのように、側面Ｆが造形物１００の表面Ｓに直交し、側面Ｆの間隔が一定の場合、側面ＦのＢ色部分の高さｈが側面Ｆの間隔ｄ以上ならば、表面Ｓと側面Ｆの境界線と視線が直交する場合の造形物１００と視線のなす角度（以下視線角度と記載）が４５°以下で、複数の側面Ｆがほぼ隙間なく連続して見えることで、その部分のほぼ全域がＢ色に見える。これは、その部分の底面Ｂｔが直接又は表面Ｓのみを通しては見えず、必ず側面Ｆを通して見えているということでもある。この場合のｈ／ｄの値を色面高間隔率と記載し、視線角度が４５°では１である。色面高間隔率が大きいほど所期の効果が高い。なお、図１２ａの複数の一点鎖線は同一視点Ｖ７からの視線を示し、実際の視点Ｖ７は図１２ａに示すより遠方にあるので、各側面Ｆに向かう視線は実用上ほぼ平行である。
色面高間隔率が３１／２以上であれば、視線角度が６０°以下でその一帯がＢ色に見え、充分な異方性カラーリング効果が得られるのでより好ましい。さらに、色面高間隔率が１／３１／２以上であれば、視線角度が３０°以下でその一帯がＢ色に見え、充分な効果が得られる。色面高間隔率が１／２となる視線角度はｔａｎ−１１／２、すなわち２６．５６５０…°である。色面高間隔率が１／３となる視線角度はｔａｎ−１１／３、すなわち１８．４３４９…°である。この場合、視線角度がとりうる９０°の範囲のうち１／５強で充分な効果が得られる。図１２ｂに示すように、色面高間隔率が１／４となる視線角度はｔａｎ−１１／４、すなわち１４．０３６２…°である。つまり、視線角度が約１４°以下で充分な効果が得られる。これは視線角度がとりうる９０°の範囲のうち約１５．６％、１／６強である。この角度未満では、所期の効果を得るためには極端に斜め方向から造形物１００を見る必要があるので、遠近法による変形が強く働き、また照明光の表面反射等により見えにくいことがある。したがって色面高間隔率は１／４以上が好ましい。図１１のようにＢ色の部分が厚ければ、その分Ｂ色が見える範囲が広がり、同じ色面高間隔率の場合の最大の視線角度はやや大きくなる。
側面Ｆが表面Ｓに直交しない場合、図１３ａのように、溝部Ｇが等脚台形状又は逆等脚台形状であり、溝部Ｇの両側の側面Ｆをそれぞれ含む面のなす角を二等分する面が表面Ｓにほぼ直交しており、各側面Ｆの幅方向の中央の線Ｌがほぼ等間隔であれば、斜めから見た場合には一方の側面Ｆが短く見える分もう一方の側面Ｆが長く見えて相殺されるので、上記色面高間隔率がほぼ当てはまる。図１３ｂのように、側面Ｆが表面Ｓに直交せず、かつ溝部Ｇの両側の側面Ｆがほぼ平行である場合には、見る方向によっては、同じ色面高間隔率（たとえば１）であれば、それと前述の組合せによる角度（たとえば４５°）より視線角度が大きくても同等の効果を得られるので、側面Ｆが表面Ｓと直交する場合より有利である。図に示す４５°以外の視線角度（たとえば１４．０３６２…°）でも同様である。
造形物１００が不透明の材料によってなる場合、上記造形物１００が透明の場合の「複数の側面Ｆがほぼ隙間なく連続して見えることで、その部分のほぼ全域がＢ色に見える」という状態が、「凸部Ｒによって底面ＢｔのＣ色がほぼ隠れ、その部分のほぼ全域がＡ色とＢ色のみに見える」という状態に置き換わり、同様に充分な異方性カラーリング効果が得られる。したがって、上記造形物１００が透明の場合の色面高間隔率がそのまま当てはまる。なお、この場合は表面Ｓ又は底面Ｂｔの幅が広く又は狭く、側面Ｆの間隔ｄが一定でなくとも、万線ピッチＰｔが一定であれば、上記の色面高間隔率と視線角度の関係が成立する。
よって、いずれの場合でも、色面高間隔率は１／４以上が好ましい。
【００４０】
ただし、造形物１００が不透明である場合、溝部Ｇが深すぎると、中間層Ｌｙ２のＢ色や裏面層Ｌｙ３のＣ色部分まで照明光が届かず、それらが暗くなって充分な効果を得られないことがある。溝部Ｇの側面Ｆが表面Ｓとほぼ直交する造形物１００において、溝部Ｇの高さｈが幅ｗ以下であれば、照明光が造形物１００の高さ方向から当たる角度が４５°以上の時に溝部Ｇの底面Ｂｔに光が届く。図１４に示すように、溝部Ｇの高さｈが幅ｗの３１／２倍以下であれば、照明光の角度が６０°以上の時に底面Ｂｔに光が届く。したがって、造形物１００が不透明の場合、溝部Ｇの高さは、溝部Ｇの幅の３１／２倍以下が好ましい。
【００４１】
色面高間隔率は造形物１００の側面Ｆの高さｈと間隔ｄ又は万線ピッチＰｔがほぼ一定の部分に適用でき、それらが造形物１００の全部で一定ならば造形物１００全体に適用できる。ところで、材料取得部１２は層の厚さを部分により変更したり、加工部１３は側面Ｆの高さｈや間隔ｄ等を造形物１００の各部で変更したりしてもよく、これにより各部で異なる効果が得られる。そのために色面高間隔率が各部でまちまちとなる場合には、後述のように、加工部１３は側面Ｆが加工された面積の１／２５において、高さｈが間隔ｄの１／４以上となるように加工してもよい。
【００４２】
上記のように、造形物１００への視線を傾ければ、その少なくとも一部がＢ色又はＡ色＋Ｂ色でほぼ埋め尽くされて見える一方、造形物１００をたとえば正面から見ればＢ色がほとんど見えない。この対比によって所期の効果が得られる。そこで、Ｂ色がほとんど見えないための条件を次に述べる。
図１５のように、複数の平面状の側面Ｆを有する造形物１００において、側面Ｆ１とそれに隣接する側面Ｆ２をそれぞれ含む２つの面の交線Ｌ１を含み側面Ｆ１及び側面Ｆ２をそれぞれ含む２つの面がなす角を二等分する、又は側面Ｆ１及び側面Ｆ２と平行でそれらから等距離の平面Ｐｌ１と、平面Ｐｌ１と２つの面が平行で側面Ｆ１の各辺と辺を共有する仮想的直方体Ｃｕ１、平面Ｐｌ１と２つの面が平行で側面Ｆ２の各辺と辺を共有する仮想的直方体Ｃｕ２、平面Ｐｌ１と２つの面が平行でその２つの面が凸部Ｒ１の表面Ｓ１の幅方向の中央の線及び凸部Ｒ２の表面Ｓ２の幅方向の中央の線を含む仮想的直方体Ｃｕ３を考える（なお、たとえば側面Ｆのように、末尾に数字を付さない符号は一般的な側面Ｆ等を指し、側面Ｆ等を区別する必要がある場合に末尾に数字を付す）。Ｐｌ１と直交しＬ１と平行な直方体Ｃｕ１の面のＬ１と平行でない辺の長さをｗ１、Ｐｌ１と直交しＬ１と平行な直方体Ｃｕ２の面のＬ１と平行でない辺の長さをｗ２、Ｐｌ１と直交しＬ１と平行な直方体Ｃｕ３の面のＬ１と平行でない辺の長さをｗ３とした時、（ｗ１＋ｗ２）／ｗ３の値を色面最小露出率とする。平面Ｐｌ１上に視点がある場合、溝部Ｇ１の両側の側面Ｆ１及び側面Ｆ２に見えるＢ色部分を合わせた幅が最も狭く、つまりＢ色が最も少なく見える。色面最小露出率は、その場合の一組の溝部Ｇ及び凸部Ｒに占めるそのＢ色の割合を示す。Ｂ色部分に厚さがある場合、Ｃｕ１及びＣｕ２はその厚さを含むＢ色部分の外形と各面が接する。平面Ｐｌ１が表面Ｓに直交する場合、ｗ３は万線ピッチＰｔに等しく、表面Ｓに直交する視線から溝部Ｇを見た時に色Ｂが最も狭く見える。図１１ａ及び図１１ｂのような場合にはｗ１＋ｗ２は１か所の溝部ＧのＢ色部分の幅であり、図１１ｃのような場合には造形物１００の正面からはＢ色が見えないのでｗ１＋ｗ２は０である。造形物１００が不透明の場合、平面Ｐｌ１は溝部Ｇを通る。造形物１００が透明の場合、交線Ｌ１は表面Ｓに対して溝部Ｇの側にあるか交線が存在しない。側面Ｆ１又は側面Ｆ２の少なくとも一方が曲面の場合、溝部Ｇの長さ方向の長さが無限小の平面Ｐｌ１・直方体Ｃｕ１・直方体Ｃｕ２・直方体Ｃｕ３の連続を想定し任意の１組に上記が適用される。後述の溝部Ｇの両側の側面Ｆの間隔が０の場合、上記計測基準は隣接する２つの別の側面Ｆに対して適用される。造形物１００が、万線３ではなくドット状等の画像１に基づいて造形されており、側面Ｆにおいて溝部Ｇの方向の長さより深さが長い場合には、ｌ１及びｌ２に相当する線分は凸部Ｒ又は溝部Ｇの少なくとも一方の円柱等の中心線と同一平面上にある。
【００４３】
色面最小露出率は小さいほどよい。造形物１００が不透明で、溝部Ｇが台形状で表面に近い部分の幅より底面の幅のほうが広い場合、ｗ１及びｗ２は０としてもよく、負の値としてもよいが、いずれにせよ視点の位置によっては色Ｂが全く見えないことがあるので、異方性カラーリング効果は高い。本願発明者による実施例では、たとえばレーザ加工により５ｍｍ厚の透明アクリル板に対して垂直に彫刻した万線状の溝部Ｇにおいて、万線ピッチが４ｍｍであり、レーザ加工により溝部Ｇにテーパー状の傾斜がつくことにより側面Ｆのｗ１及びｗ２がそれぞれ約０．４ｍｍとなり、すなわち色面最小露出率が約０．８／４＝１／５であったが、発明者が正面から観察して側面ＦのＢ色があまり目につかず、良好な異方性カラーリング効果を得られた。別の例では、２ｍｍ厚の不透明の赤アクリル板に０．２ｍｍ厚のＰＶＣ製の緑のシートを貼りつけた材料にレーザ加工し、万線ピッチが３ｍｍ、ｗ１及びｗ２がそれぞれ約０．１５ｍｍで色面最小露出率が約１／１０、発明者が正面から観察して側面ＦのＢ色がほとんど目につかず、より良好な結果であった。また、アルミ板上にオレンジ色のアクリル塗料の層を重ねて０．６ｍｍ厚とし、その上にごく薄い青のアクリル塗料を重ねた材料では、１．６ｍｍの万線ピッチに対し色面高間隔率が約１／４で、正面からオレンジがやや見えるものの異方性カラーリング効果は得られた。同じ材料で１．２ｍｍの万線ピッチに対し色面最小露出率が約１／３で、異方性カラーリング効果は確認できたが、オレンジが青及びＣ色であるアルミの地肌の金属色に対して同等程度に目立つ結果であった。発明者は、このような試作を多数積み重ね、いずれも異方性カラーリング効果というこれまでにない有利な効果を得られるものではあるが、その効果の大きさにより、色面最小露出率は１／３以下が好ましく、１／４以下がより好ましく、１／５以下がさらに好ましく、１／６以下なら一層好ましく、１／８以下なら充分で、１／１０以下なら万全との結論を得た。加工部１３は、加工方法の特性に起因する切断部分の傾斜量・側面Ｆの高さ・万線ピッチ等のパラメータから演算を行い、適切な色面最小露出率となるよう調整の上加工する。
【００４４】
色面高間隔率及び色面最小露出率はいずれか片方のみでは造形物１００の異方性カラーリング効果の指標にならず、それぞれが「造形物１００への視線を傾ければＢ色又はＡ色＋Ｂ色のみが見える」ことと「造形物１００をたとえば正面からみればＢ色がほとんど見えない」ことを別個に示すだけである。これらの代わりに、１つで異方性カラーリング効果を評価可能な指標として、対向色面狭長率を用いることもできる。これは、図１５において、側面Ｆ１の最短の長さをｌ１、側面Ｆ２の最短の部分の長さをｌ２とすると、（ｗ１／ｌ１＋ｗ２／ｌ２）／２の値であり、これが小さいほど所期の効果は高い。なお特記事項は色面最小露率と同様である。
【００４５】
本願発明者の経験によれば、対向色面狭長率が２／５を上回ると、異方性カラーリング効果が弱すぎて、どこから見ても色合いに大差がなくなってしまうが、上回ると、観察者が注意深く何度も見くらべればその差に気づくので、対向色面狭長率は２／５以下が好ましい。対向色面狭長率が１／３以下の場合、やや注意して見れば角度によって違って見えるのでより好ましく、１／４以下の場合、意識して見れば差がわかるのでさらに好ましく、１／５以下なら明確に異なるのでなお好ましく、１／６以下なら一層好ましく、１／８以下なら充分で、１／１０以下なら万全である。
【００４６】
異方性カラーリング効果を評価する際の「Ｂ色がほとんど見えない」度合は、Ｂ色の幅が肉眼で視認可能であるかどうかを基準にしてもよい。具体的には、図１６のようにＢ色がはみ出して見える幅ｗ０を考える。ｗ０が充分に小さければ正面等から見た場合にＢ色がほぼ見えないが、ｗ０が大きくなるとＢ色が見えてしまい、観察方向によらず常にＢ色が見えている状態となる。中間層Ｌｙ２の露出が視認されてしまう限界のｗ０の値は、想定される視点との距離と彫刻の微細さによって大まかに定められ、色の色相・濃度・彩度等のパラメータや、観察される際の照度等の外部環境条件に影響される。このｗ０は、図１１のように溝部Ｇが特に狭く、両側の側面Ｆが近接している場合のＢ色の幅や、第２の実施形態で後述のように溝がない場合のＢ色の厚さにも適用できる。
【００４７】
加工部１３は幅ｗ０をほぼ０にしてもよい。すなわち、表面層Ｌｙ１を除去する範囲と中間層Ｌｙ２を除去する範囲をほぼ同等にしてもよい。それにより、たとえば正面から見た場合にはＢ色がほとんど見えないが、斜め方向から見るとＢ色が見えてきて、見る角度により造形物１００の色合いが異なって見える、という異方性カラーリング効果を得ることができる。
【００４８】
本願の発明者は、標準的な写真のサイズであるＬ判（８９×１２７ｍｍ）程度のサイズの造形物を３００ｍｍの距離から見る場合、照度が明るい環境下で、補色同士の組合せであるような識別しやすい配色とした場合、中間層Ｌｙ２の露出を感じ取ってしまうｗ０の幅は約０．１２ｍｍであると見出した。さらに、視力が比較的優れた観察者の場合にはそのｗ０の幅は約０．０６ｍｍであった。ただしこれらは特殊な条件下の値であり、より一般的な条件での値としては、表面層Ｌｙ１と中間層Ｌｙ２の色の組合せを、特に補色同士とせずに汎用的な組合せとした場合の、表面層Ｌｙ１からの中間層Ｌｙ２の露出を見分けることができるｗ０の幅は約０．１８ｍｍであると見出した。
【００４９】
この０．１８ｍｍを３００ｍｍの距離から見たときの視角は、ｔａｎ−１（０．１８／３００）＝０．０３４３７７４６３５８２５５４…＝０°２′３．７６″となる。０．１２ｍｍの場合には、ｔａｎ−１（０．１２／３００）＝０．０２２９１８３１０５８２９２３…＝０°１′２２．５１″となる。０．０６ｍｍの場合には、ｔａｎ−１（０．０６／３００）＝０．０１１４５９１５５７４９８２８…＝０°０′４１．２５″となる。
【００５０】
したがって、造形物のサイズがＬ判より大きく、あるいは小さく、通常の観察距離が３００ｍｍより離れている、あるいは近接している場合には、中間層Ｌｙ２のはみ出し部分を想定される目の位置から見込む角度が０°２′３．７６″未満であれば、中間層Ｌｙ２の露出は一般的条件下ではほとんど識別されないと考えることができる。以下本明細書では、この角度を便宜上「許容色面視認限界視角」と記載する。また、０°１′２２．５１″を「一般色面視認限界視角」とし、これ未満であれば、特に中間層Ｌｙ２が識別しやすい条件であっても、Ｂ色が目につきにくい。さらに、０°０′４１．２５″「最小色面視認限界視角」とし、であれば、観察者の身体的条件にかかわらずＢ色がほぼ感知されない。また、色面視認限界視角に関して個々の造形物のサイズに基づいて算出される観察距離を「標準観察距離ＳＤ」と記載する。
【００５１】
より正確には、許容色面視認限界視角θとは、図１６に示されるように、平面的板状の造形物１００の表面層Ｌｙ１の端部の任意の点Ｋと視点Ｖ０を通る線分ＫＶ０が造形物１００の表面と直交し、線分ＫＶ０の長さが標準観察距離ＳＤに一致する場合、視点Ｖ０から見て点Ｋともっとも近い中間層Ｌｙ２の端部を点Ｊとすると、中間層Ｌｙ２が表面層Ｌｙ１からはみ出していると見分けることが可能であるような、視点Ｖ０から線分Ｆ１Ｊを見込む角度である。なお本明細書における端部とは、ある層を視点から見たときにその層の外周に見える部分のことである。造形物１００が透明な場合には、許容色面視認限界視角θはＢ色の部分の厚さに対しても適用できる。また、許容色面視認限界視角θは視線が表面に直交しない場合にも応用できる。
【００５２】
加工部１３は、中間層Ｌｙ２が表面層Ｌｙ１よりはみ出している幅ｗ０を、許容色面視認限界視角θの値と、標準観察距離ＳＤとから導かれた幅未満にする。標準観察距離ＳＤは、Ｌ判（８９×１２７ｍｍ）の対角線長１５５．０８０６２４１９２７１ｍｍに対する観察距離３００ｍｍを基準として、それぞれの造形物において本発明に係る側面Ｆが加工された部分のサイズＳｉから算出される。つまり、ＳＤ＝３００・Ｓｉ／１５５．０８０６２４１９２７１＝Ｓｉ・１．９３４４７７６４０６６ｍｍである。Ｓｉは、造形物の表面のもっとも長い部分を測定した値である。また、造形物１００の全体に本発明に係る側面Ｆが加工されているのではなく、造形物１００の一部のみにその加工が施されている場合、Ｓｉは本発明に係る側面Ｆが加工された部分のうち最も長い部分である。加工部１３は、矩形の板状物であれば、その表面の対角線長をＬ判と比較して、識別可能幅を算出する。
【００５３】
たとえば、加工部１３は、板状の造形物１００のサイズが８９０×１２７０ｍｍの場合には、標準観察距離ＳＤは３０００ｍｍと算出する。中間層Ｌｙ２が表面層Ｌｙ１からはみ出す限界値である識別可能幅は、３００・Ｓｉ／１５５．０８０６２４１９２７１・ｔａｎθ＝Ｓｉ・１．９３４４７７６４０６６・ｔａｎθから導く。上記の場合、加工部１３はθ＝０°２′３．７６″からこの幅を１．８ｍｍとし、ｗ０をそれ未満にする。
【００５４】
造形物１００が、所期の異方性カラーリング効果を得るためには、その全体が上記の条件を満たす必要はなく、一部が上記の条件を満たしていれば、その一部だけは所期の効果が得られる。とはいえ、Ａ４判の板状物において、１×１ｍｍの部分が上記の条件を満たしていても、それ以外の部分がそうでなければ所期の効果は認められない。一部とはいっても、その部分が過少であっては本発明の効果は発揮されないのであり、その占める割合には下限がある。
本願の発明者は、矩形板状物の全面に側面Ｆが加工されている場合、縦方向及び横方向の長さが表面全体のそれぞれ１／５、好ましくは１／４、より好ましくは１／３、さらに好ましくは１／２となるような部分が上記の条件を満たしていれば、側面Ｆが加工されている部分の最長の長さと同じ距離から見た場合、その部分内では本発明の効果が発揮されることを見出した。つまり、造形物１００の表面全体の面積の１／２５の面積が下限である。それ以外の部分では、側面Ｆが万線状でないか、色面最小露出率又は対向色面狭長率が１／３を上回ってもよい。したがって、加工部１３は、造形物１００の一回で見える部分又は造形物１００のうち本発明に係る側面Ｆが加工された部分の少なくとも１／２５、好ましくは少なくともその１／１６、より好ましくは少なくとも１／９、さらに好ましくは少なくとも１／４において、色面高間隔率が１／４以上か、色面最小露出率又は対向色面狭長率が１／３以下又は１／４以下の万線状の側面Ｆを加工してもよい。これは本明細書の以下に記載の条件にも適用できる。当該部分が複数の領域に分かれていても、それらの合計が上記の割合に相当すれば、同等の効果を得ることができる。また、造形物１００の一部、たとえば造形物１００の周囲の外枠部分では、色面最小露出率又は対向色面狭長率が１／３を上回ってもよく、側面Ｆが含まれなくてもよく、全面がＢ色でもよい。造形物１００の絵柄の内側であっても、特定部分に目を引くこと等を目的として同様であってもよい。
【００５５】
中間層Ｌｙ２を厚くし、なおかつ溝部Ｇを浅くするために、材料取得部１２は表面層Ｌｙ１を薄くしてもよい。表面層Ｌｙ１の表面部分で充分な階調再現が得られていれば、表面層Ｌｙ１の断面部分が見えても本発明の効果に与える利得は少なく、むしろ悪影響を及ぼすからである。表面層Ｌｙ１の厚さは、最低でも中間層Ｌｙ２の厚さ以下でなければならないが、実際には中間層Ｌｙ２の厚さの半分以下にする必要がある。表面層Ｌｙ１の厚さは、中間層Ｌｙ２の厚さの１／４以下であればより好ましく、中間層Ｌｙ２の厚さの１／８以下であれば、表面層Ｌｙ１が溝部Ｇに露出する部分をほぼ無視でき、深さの大半をＢ色に充てられるのでさらに好ましい。
【００５６】
材料取得部１２及び加工部１３は、色の境界を明確に異ならせてもよく、徐々に連続的に変化させてもよい。たとえばＡ色とＢ色の境界部分や２色のＢ色の境界部分をグラデーション状に移行させることで、はっきり切り替わるのとは異なる効果が得られる。また、加工部１３は、同様の又は別の目的で、互いに異なるＢ色の溝部Ｇ等を交互に又は数本おきに配置してもよい。
【００５７】
万線状の溝部Ｇ及び凸部Ｒが造形された造形物１００では、溝の方向と視線の方向との関係によって、色の見え具合が多様に変化する。図１７には、観察者が造形物１００を斜め方向から見た時に、溝部Ｇと視線方向が直交する視点Ｖ１１と、それらがほぼ同一平面上にある視点Ｖ１２とが示されている。Ｖ１１ではＢ色が見えやすく、Ｃ色があまり見えない。Ｖ１２では、Ｖ１１と比較して、Ｃ色が広く見え、Ｂ色が狭く見える。つまり、たとえば、造形物１００が垂直に壁にかけられている場合、正面から見た場合と斜めから見た場合とで色が異なって見えるだけでなく、横側の斜めから見た場合と下側の斜めから見た場合とでも色が異なって見える。
【００５８】
また、照明光が造形物１００に当たる方向と造形物１００の溝部Ｇの方向との関係によって、造形物１００各部の明るさが変化する。造形物１００が不透明の場合には、溝部Ｇと光線方向がほぼ同一平面上にある場合には溝部Ｇの底部まで光が届き明るく見えるが、それらが直交し、なおかつ光の高さ方向の角度が小さい場合には、凸部Ｒの影が溝部Ｇの底部にかかり、溝部Ｇの底部が暗く見えることがある。
【００５９】
造形物１００、特に側面Ｆが、金属等で反射率の高い場合、あるいはガラスやアクリル等で平滑に仕上げられた場合、さらに異方性反射効果が得られる。つまり、光が当たる角度や見る方向の差により各部で輝き具合が異なる効果が加わり、より意匠性が向上する。加工部１３は、反射率を高くするために塗装などの表面加工を用いてもよく、その反射は乱反射に近くてもよく、正反射に近くてもよい。この異方性反射効果はＢ色が無色透明でも得られる。たとえば、加工部１３は図１１のような溝部ＧにＢ色を着色しなくてもよく、透明アクリルやガラス板の内部に複数の平行な反射面をレーザ加工してもよい。このような造形物１００の側面Ｆに照明光が当たると、視点の位置によってはその一帯が明るく輝いて見える。加工部１３が裏面層Ｌｙ３の一部を彫刻する場合、溝部Ｇの断面形状をＵ字型等の曲面にすれば、反射光が広い方向に拡散し、より異方性反射が増大する。
【００６０】
画像１が図３ｂや図３ｃのように複数の方向の万線によってなる複数の領域を有する万線３であれば、画像１に基づき加工部１３が加工した造形物１００では、一つの造形物の中でＢ色やＣ色の見え具合がさまざまに異なる状態が同居し、さらに照明光の方向に応じて各部の明るさが異なり、より複雑で変化に富んだ効果が得られる。画像取得部１１は、画像１の複数の部分領域の間で万線の方向を切り替えることで、この効果により造形物１００上で画像を表示できる。溝部Ｇが万線状でなくても、線状であればそれに近い効果が得られる。溝部Ｇの方向が多いほど、視線を傾けた状態で３６０°どの方向から見ても、いずれかの部分でＢ色又はＣ色がはっきりと見え、別の部分ではＢ色又はＣ色がそれほど見えない、加えて、ある部分の溝部Ｇは明るく、他の部分の溝部Ｇは暗い、という状態に近づくので効果的である。また、この効果は、造形物１００表面における複数の万線方向の対比により得られるので、そのためには溝部Ｇの異なる方向の数は２以上である必要がある。溝部Ｇの異なる方向の数が１つ加わって３以上であれば、反対側から見た場合も含めて６方向から見た場合、つまり平均して６０°ごとに上記の効果が得られるので、２方向の場合より好ましい。溝部Ｇの異なる方向の数が４であれば、８方向から見た場合、平均して４５°ごとに上記の効果が得られ、どの角度から見ても上記の効果が得られる状態に近くなるため、より好ましい。
【００６１】
互いに異なる方向の溝部Ｇの組合せで最も有効なのは、それらが９０°の角度をなす場合である。図１８のように、溝部Ｇ１と溝部Ｇ２とが直交している場合、視点Ｖ１３からの視線が溝部Ｇ１とほぼ同一平面上にあるなら、溝部Ｇ１ではＢ色が最も狭く見え、Ｃ色が最も広く見える。同時に、同じ視線が溝部Ｇ２と直交しており、溝部Ｇ２ではＢ色が最も広く見え、Ｃ色が最も狭く見える。視点Ｖ１４からは溝部Ｇ１及びＧ２と広く見える色との関係がそれぞれ逆になる。つまり、図１７のＶ１１及びＶ１２と溝部Ｇとの関係が、一つの視点に対して同時に起こっていることになる。この際、それぞれの溝部Ｇのなす角度は９０°前後である８８°から９２°が効果的であり、８５°から９５°でもほとんど同等の効果が得られるが、８０°から１００°まではそれに準ずる効果が得られ、７２°から１０８°まではそれに近似した効果が得られる。そのような角度をなす溝部Ｇの方向の組合せが、造形物１００に複数含まれていてもよい。
【００６２】
互いに異なる方向の万線状の溝部Ｇからなる複数の領域が接しておらず、たとえば、造形物１００の左上隅と右下隅のように離れていて、それらの間は万線状溝とは別の形状になっている場合、図１８のＶ１３から同時にＧ１とＧ２を見るのと同様の状態は成立しにくいことがある。観察者が造形物１００を見る距離によっては、その端と端とに点在する２つの領域を同時に視野に入れることは難しく、各々をそれぞれに見ることしかできないからである。したがって、所期の効果のためには、互いに異なる方向の溝部Ｇからなる複数の領域は、それぞれの少なくとも一部が同時に観察者の視野に入る程度に近接していることが望ましい。その目安としては、互いに異なる方向の溝部Ｇからなる複数の領域の間の距離が万線ピッチＰｔの２０倍以下であれば、上記複数の領域が同時に視野に入ることが多い。さらに、上記の、溝部Ｇの方向の変更による画像の表示や、それに類似した効果を求める場合には、上記複数の領域の境界線がその画像の輪郭となるため、上記複数の領域の間の距離が狭いほうがよい。その距離が０であり、それらが互いに接していれば、それぞれの領域の色の差が明確に視認でき、最も好ましい。上記距離が万線ピッチＰｔの２倍以下であれば、上記複数の領域が見かけ上連続して見えるので実用上充分な効果が得られる。上記距離が万線ピッチＰｔの４倍以下であれば、上記複数の領域が明確に分割されているのではなく、輪郭をぼかした状態で描き分けられているという効果が得られる。このように、互いに異なる方向の溝部Ｇからなる複数の領域の距離が万線ピッチＰｔの４倍以下であることで互いにほぼ隣接していてもよい。万線ピッチが均等ではない場合には、万線間隔の平均の当該倍数分の距離でもよく、以下の記載においても同様である。
【００６３】
ある部分領域を占める万線の本数には下限がある。１本又は２本の万線よりなる部分領域が造形物１００に含まれていてもよいが、それは単なる線であって、遠目から見て万線としての効果を発揮するには足りない。本願発明者の経験上、溝部Ｇと凸部Ｒからなる１組が４組並ぶことが、ひとまとまりの万線として機能する最低限の本数である。また、観察者が造形物１００を斜め方向から見た際にＢ色が面として見えるためには、その組が８組は必要である。さらに、それが１２組並んでいれば、斜めから見た場合にそれぞれの万線の境界が目立たず好ましく、１６組なら一面のＢ色の広がりとして知覚されるのでより好ましい。この場合も、他の条件と同様、造形物１００の一回で見える部分又は造形物１００のうち本発明に係る側面Ｆが加工された部分の少なくとも１／２５、好ましくは少なくとも１／１６、より好ましくは少なくとも１／９、さらに好ましくは少なくとも１／４においてその条件を満たしていれば、その一部では所期の効果が得られる。
【００６４】
ある部分領域を占める万線のピッチは均等であり、すなわち溝部Ｇと凸部Ｒよりなる複数の組がすべて隣接していることが望ましいが、一部のピッチがやや変更されてもよい。ただし、ある部分領域の万線が連続して見えるためには、万線ピッチが最大の部分の万線ピッチは最小部分の２倍以下が好ましく、１．５倍以下がより好ましく、１．２５倍以下がさらに好ましい。この範囲内であれば万線ピッチはほぼ一定であり、万線や上記の組がほぼ隣接しているとみなすことができる。
【００６５】
また、万線が短すぎると、連続した万線に見えず、上記の効果が得られない。本願発明者の経験上、造形物の少なくとも一部において、万線の線方向の長さが、万線ピッチＰｔの２倍以上である必要があり、たとえば万線ピッチが０．５ｍｍであれば、万線の長さが少なくとも１ｍｍなければならない。これにより、観察者が近接して見た場合に、その部分が単なる刻み目の羅列ではなく、方向のある線の集合であると認識可能となる。造形物１００を斜めから見た場合に各側面ＦのＢ色が連続して見えるためには、万線の長さが万線ピッチＰｔの４倍以上であることが好ましく、８倍以上がより好ましい。さらに、それ以外も含む本願の効果すべてを充分発揮させるためには、万線の長さが万線ピッチＰｔの１６倍以上がさらに好ましい。また、万線は連続していなくてもよいが、ひとつながりの万線として見えるためには、分断されている距離が、万線ピッチＰｔの２倍以下が好ましく、万線ピッチ以下がより好ましく、万線ピッチＰｔの１／２以下がさらに好ましい。
【００６６】
画像取得部１１は、画像１の万線の幅を各部で変更することで、表面層Ｌｙ１と、中間層Ｌｙ２または裏面層Ｌｙ３の少なくとも一方との、視野内の一定の範囲における面積比を変化させることができる。これにより、画像取得部１１は、Ａ色とＢ色又はＣ色の少なくとも一方の少なくとも２色の配合をさまざまに変更して階調を表し、写真画像・ＣＧ・イラスト・図形・文字・地図等の画像を表示することができる。表示される画像が文字や線画の場合には、画像取得部１１は、たとえば階調数を２階調としてもよく、写真の場合には３階調以上の多階調でもよく、それを２階調化した画像でもよい。具体的には、画像取得部１１は、取得したデータが多階調画像の場合、これを、万線・曲線状の万線等のさまざまなスクリーンやパターン等を使用して、彫刻加工に適した２階調にすることができる。このスクリーンやパターン等は、画像取得部１１が記憶しているデータを読み出してもよく、処理の都度新たに取得してもよい。取得した画像１が写真やイラスト等の場合、輪郭が不鮮明であるか明暗の差が少ないより、輪郭が鮮明でコントラストが高いほうがよい結果が得られる。画像取得部１１はそのように画像１を変更してもよい。取得した画像１が、図１９ａのように、文字やロゴ等の図と地が明確に分かれているか、すでに２階調画像である場合は、画像取得部１１は、画像１の微細さ等を判断し、図１９ｂのように、たとえば全面が黒等の部分にさらにスクリーン処理を行って白等の万線パターンを配置し、全面が白等の部分に黒等のパターンを配置してもよく、一部を変更せず、白又は黒の線の長さ及び幅を０にしてもよい。画像取得部１１は、Ａ色とＣ色とが異なる場合にはＡ色とＣ色との２色の組み合わせの比率を変更することで、たとえば正面から見た場合に階調を表してもよく、Ａ色とＢ色とが異なる場合にはＡ色とＢ色との組み合わせにより、たとえば斜めから見た場合に階調を表してもよく、Ａ色とＢ色とＣ色がすべて異なる場合には、それら３色すべての組み合わせを用いてもよい。また、画像取得部１１は、万線の幅は一定とし、その数や密度や分布量の増減により濃度を変化させてもよいし、面積の変化と数や分布状態の変化とを併用してもよい。
【００６７】
万線は一部で交差してもよい。ただし、造形物１００が不透明の場合、他の線があまり頻繁に交差するともはや万線ではなく、格子状の交差線となってしまうので、万線としての機能を維持するために、交差の頻度は制限されることが望ましい。ある方向の万線に他の方向の線が交差する場合の他の方向の線どうしの間隔は、万線ピッチＰｔの数倍以上が好ましく、具体的には４倍以上、より好ましくは８倍以上であれば、上記の万線が異なる複数の方向を有する場合等の各種効果を保つことができる。
【００６８】
本発明では、観察者が正面から見る場合とそれ以外から見る場合とで絵柄が変わって見える効果を得ることもできる。上記のように、画像取得部１１又は加工部１３の少なくとも一方は、万線の太さや数や密度を各部で変更することで、Ａ色とＣ色の異なる比率の分布の具合を制御することにより、造形物１００上で画像や文字等を表示できるが、これは造形物１００を正面から見た場合に観察可能である。一方、画像取得部１１又は加工部１３の少なくとも一方は、上記画像等とは別の画像等に基づき、溝部Ｇの方向を造形物各部で変更し、斜めから見た場合に造形物各部でＢ色とＣ色の少なくとも一方が見えたり見えなかったりさせる等により、別の画像等を表示できる。これは造形物１００を正面から見た場合には見えない。本発明では、このように、見る方向によって複数の異なる画像等を表示させることができる。
【００６９】
正面から見る場合とそれ以外から見る場合とで絵柄が変化して見える効果は、別の方法で得ることもできる。たとえば、画像取得部１１が取得等した画像１ａに基づいて、材料取得部１２が赤と青の２枚の板を切断加工し、貼り合わせて中間層Ｌｙ２とし、Ｂ色が赤と緑、Ａ色が青、Ｃ色が黄の材料２とする。加工部１３が別の画像１ｂに基づき材料２に彫刻を行えば、画像１ａを赤と緑の差で表示し、画像１ｂを青と黄の差で表示する造形物１００ができる。これは観察者が見る角度によって見える画像が異なる。さらにＡ色やＣ色が造形物１００各部で異なってもよい。なおこれらの実施例は白黒平面画像での図示が不可能のため図示しない。
【００７０】
材料取得部１２及び加工部１３は、分光性塗料・偏光性塗料のように、見る方向により色が変わる色材を使用することで、玉虫色のような効果をさらに付加することができるが、そのような特殊な塗料を用いずに同様の効果を得ることもできる。つまり、たとえば、造形物１００を左側から見た場合と右側から見た場合とで側面Ｆが別の色に見えるようにすることもできる。具体的には、加工部１３は、表面層Ｌｙ１にあらかじめマスキングしてから彫刻加工を行い、中間層Ｌｙ２に着色可能だが裏面層Ｌｙ３には着色できない着色料を左側から斜めに吹き付け、その後にマスキングを剥離してもよい。これにより、造形物１００の溝部の谷の右側のみが着色され、谷の左側は着色されずに中間層Ｌｙ２がそのまま露出することになるので、左側から見たときには着色の色が見え、右側から見たときにはＢ色が見えて、効果がより多彩になる。なお、斜め方向から吹き付ける着色料が液状の場合には粘性が高いものを使用するなどして、溝部の左側に着色料が付着しないようにすることが好ましい。さらに右側から別の色を着色してもよい。着色料を斜め方向から吹き付けるかわりに、マスキング剤を斜め方向から吹き付け、全面を着色してから、マスキング剤を剥離してもよい。この場合には、表面層Ｌｙ１のマスキングはあってもよく、なくてもよい。上記の工程を別方向から繰り返すことにより、３方向以上から見た場合にそれぞれ別の色合いに見える効果を与えることもできる。あるいは、マスキングを行わずに、表面層Ｌｙ１及び裏面層Ｌｙ３には付着せず、中間層Ｌｙ２にのみ付着する塗料を着色料として用いてもよい。
【００７１】
造形物製造装置１０は、造形物１００の一部の万線角度の変更とＢ色の変更を組み合わせてもよい。それは具体的には、図２０のように、造形物１００に複数の部分領域があり、内側の部分領域では側面ＦがＢ１色、外側の部分領域では側面ＦがＢ２色で万線方向が内側の部分領域とは９０°異なるものである。このような造形物１００では、左手前上の視点Ｖ１５からは外側の部分領域のＢ２色が見え、右手前上の視点Ｖ１６からは内側の部分領域のＢ１色が見える。つまり、たとえば横からは絵柄の図の部分が赤に見え、下からは絵柄の地の部分が青に見える造形物１００が製造可能である。これにより、見る方向で図−地関係が反転し色も変わる従来なかった効果が得られる。側面Ｆが万線状ではなく、たとえば溝部Ｇ又は凸部Ｒの少なくとも一方がドット状であるような場合、それぞれの溝部Ｇ又は凸部Ｒの各方向の側面Ｆが異なる色であってもよい。前段落記載の方法等により、たとえば上側の側面が青、左側が赤、下側が緑、右側が黄であるドット状の凸部Ｒが無数に並んでいてもよい。これらの場合、色面最小露出率又は対向色面狭長率が必ずしも１／３以下でなくてもよい。
【００７２】
図２０のような効果は、前述の異方性反射効果によって得ることもできる。たとえば加工部１３は、図２０の造形物１００を透明板Ｔを用いて加工し、Ｂ１色もＢ２色も無色透明とするか同じ色とする。側面Ｆは正反射又は乱反射によって光を反射する。図のＢ１と平行に赤の照明が当たれば、Ｂ２部分が赤く光るのをＶ１５の観察者が観察でき、図のＢ２と平行に青の照明が当たれば、Ｂ１部分が青く光るのをＶ１６の観察者が観察できる。加工部１３はそのような照明設備の加工もできる。それぞれが交互に発光してもよく、両方が同時に光ってもよく、照明光の色が切り替わってもよく、周期的にそれらが反復してもよい。光が拡散光であればＢ１がやや赤く、Ｂ２がやや青くなり、平行光線であれば混色が少なくなる。加工部１３は、乳半アクリルを裏面に設置し、別の色で発光させてもよく、万線方向と光の方向を増やしてもよく、さらに複数方向の万線を同じ部分で交差させてもよい。このような造形物１００は正面等から光を投影するための映写用スクリーンとしても使用できる。加工部１３は、溝部Ｇに金属粉等の反射材を充填してもよく、蛍光塗料・蓄光塗料・特殊発光塗料等を充填し、照明光を紫外線等としてもよい。造形物１００が不透明の白色等であれば、Ｂ２と平行な光が１８０°反対の２方向から当たっても、透明の場合と異なり光が混ざらずにそれぞれの側の側面Ｆに当たって見えるので、万線方向の２倍の数の光の色が使い分けられる。
【００７３】
たとえば、凸部Ｒ又は溝部Ｇの少なくとも一方が万線状の場合、ＬＥＤ導光板等により、凸部Ｒの１本おきのグループを同時に光らせ、残りの１本おきのグループは暗くし、それぞれのグループが一定周期ごとに点滅を繰り返すようにして、それぞれのグループごとに色や複数の部分を組み合わせてなる絵柄を別にしてもよい。
【００７４】
造形物１００の一部、たとえば裏面層Ｌｙ３の裏側が鏡面でもよい。裏面層Ｌｙ３が透明であれば、それを通して観察者の側の景色が映って見える。
【００７５】
加工部１３又は材料取得部１２の少なくとも一方は、造形物１００の保護や美観向上等の目的から、造形物１００の一部又は全部に透明等の被膜・保護層・保護板等を形成又は装着してもよく、溝部Ｇを加工後に透明の材料で埋めてもよい。
【００７６】
また、上記の実施形態においては、画像取得部１１、材料取得部１２、加工部１３の順にそれらが実行する工程について説明したが、各部の工程を実行する順序は任意であり、工程の順序を入れ替えてもよく、ある工程が別の工程の処理を含んでもよく、ある処理を複数の工程で分担して行ってもよく、いったん進んだある工程からそれ以前の別の工程に戻っていくつかの工程をやり直してもよい。
［第２の実施形態］
【００７７】
図２１は、第２の実施形態に係る造形物製造装置２０の構成を示す図である。図２２は、第２の実施形態に係る造形物の製造方法のフローチャートである。以下、図２１及び図２２を参照して、造形物製造装置２０の構成及び動作を説明する。造形物製造装置２０は、画像取得部２１と、加工部２２とを備える。また造形物製造方法は、画像取得工程Ｓ２１、加工工程Ｓ２２よりなる。
【００７８】
画像取得部２１は画像１を取得または生成し、第１の実施形態における画像取得部１１と同様の処理を行い、加工用データを加工部２２に渡す。加工部２２がたとえばＳＴＬのような３ＤＣＡＤデータ等を必要とする場合には、画像取得部２１はそれに適したデータを準備する。
【００７９】
加工部２２は、加工用データに基づき、３Ｄプリントや印刷等の手段によって、あらかじめ準備されているかその都度取得する材料２を用いて所定の厚さの層に積層する等により造形物１００を造形する。第１の実施形態で記載した造形物１００は本実施形態でも製造可能であり、構成・効果、色面高間隔率や色面最小露出率等の特徴も共通である。３Ｄプリントの場合、たとえばＡＢＳ樹脂とＰＬＡ樹脂のように、耐薬品性・耐溶剤性等の特性の異なる材料を組合せれば、選択的着色等の追加工の際等に有効である。
【００８０】
加工部２２はプラスチック等の射出成形を用いてもよく、多色成形を行ってもよい。加工部２２は、ベースとなる裏面層Ｌｙ３を凹凸状に形成し、その凹部分に中間層Ｌｙ２を形成し、凸部分の上に表面層Ｌｙ１を形成することで、造形物１００を製造するというように、平坦な層を重ねるのとは別の方法で造形を行ってもよい。その場合、中間層Ｌｙ２が溝部Ｇの底部に露出してＣ色となり、裏面層Ｌｙ３が凸部Ｒの側面に露出してＢ色となってもよい。造形物１００の各層は必ずしも上下に重なっていなくてもよい。
【００８１】
本実施形態では、造形の自由度がより高いため、第一の実施形態では難しかった各種の加工が可能である。たとえば、加工部２２が各層の色を部分的に変更することが第１の実施形態より容易なので、溝部Ｇの一方の側の側面Ｆと他方の側の側面Ｆとで色が異なり、観察者が造形物を左から見た場合と右から見た場合とでＢ色が異なるという効果をより効率的に得ることができる。造形物１００が３方向以上からの視線に対し同様の効果を得たり、造形物各部が多様な色で見えるという加工もより容易である。また、造形物１００が透明の場合、溝部Ｇの両側の側面Ｆの間隔を０にし、透明な造形物１００の内部に側面Ｆが埋まっている、という造形も可能であり、このＢ色の深さが造形物１００の厚さと同じでもよく、側面Ｆが造形物１００の表面又は裏面に露出してもよく、側面Ｆが傾斜してもよく、曲面でもよく、互いに異なる色でもよい。さらに、図２３ａ及びｂのように、複数の表面上の方向の万線状の側面Ｆが交差し、方向ごとに色が異なることで、同一部分において、ある方向からはＢ３色である図形が見え、別の方向からはＢ４色で別の図形等が見える、という効果も得られる。図２３ｃのように、表面上の方向だけではなくそれとは別の方向も異なり、たとえばＢ５色の側面Ｆ５は表面と直交するが、Ｂ６色の側面Ｆ６は表面と直交せず傾いていることで、正面からはＢ６色のみが見えてもよい。
【００８２】
加えて、本実施形態によれば、図２４のように、互いに隣り合う複数の側面Ｆの方向が複数である、つまり側面Ｆが万線状でなく、自由に多様な方向を向いた造形物１００の製造も容易である。Ｂ色が側面Ｆごとに異なってもよく、各側面Ｆの各部でさらに異なってもよい。それぞれの側面Ｆが表面と直交していれば、観察者がある部分を正面から見た場合にその部分で異方性カラーリング効果が発生する。それぞれの側面Ｆが表面と必ずしも直交していなければ、視線がある側面Ｆと同じ平面上にある場合にはその色面がほぼ見えずに他の方向の色面のみが見え、観察者が視点を動かすにつれてそれぞれの側面Ｆに対して異方性カラーリング効果が起こり、色が多様に変化して見えるという効果が得られる。造形物１００が透明な材料によってなる場合に、この効果は特に顕著である。
【００８３】
互いに隣り合う複数の側面Ｆの表面との交線が平行でなく、複数の側面Ｆが表面と直交しないような場合には、対向色面異方差倍率を適用するのが難しいことがある。そのような場合や側面Ｆが１枚の場合には、異方性カラーリング効果の尺度として単立色面狭長率が用いられてもよい。これは、側面Ｆが平面の場合、図２５のように、側面Ｆと同じＢ色の部分と長さ・幅・奥行きが等しい仮想的直方体Ｃｕ４において、最も面積が広い面をＰｌ２とし、表面Ｓに近くＰｌ２と異なる面をＰｌ３とし、Ｐｌ２とＰｌ３の交線Ｌ２上の任意の点Ｐを通りＰｌ３を横切る最短の線分の長さをｗ４とし、点Ｐを通りＰｌ２を横切る最短の線分の長さをｌ３とすると、ｗ４／ｌ３の値である。側面Ｆが曲面の場合、Ｌ２の長さが無限小であるＣｕ４の連続を想定しその任意の１つに上記を適用する。たとえば同じ溝部Ｇの両側の側面Ｆが互いに平行である場合にも単立色面狭長率が有効である。単立色面狭長率も、対向色面狭長率と同様に２／５以下が好ましく、１／３以下がより好ましく、１／４以下がさらに好ましく、１／５以下がなお好ましく、１／６以下が一層好ましく、１／８以下なら充分で、１／１０以下なら万全である。
【００８４】
加工部２２は、たとえば薄手の透明等のフィルムを一定の幅で裁断し、その片面又は両面に着色した複数の帯を、一方の切り口を基底材上に固定する形で並べて側面Ｆとしてもよい。この帯を立った状態で保持するとともに、外力から保護するため、加工部２２は帯の間に透明又は半透明の樹脂等を充填し充填部Ｆｉとしてもよく、図２６のように帯を樹脂内に浮かせた状態にしてもよく、その際、樹脂等から帯の一部を露出させてもよく、露出させなくてもよい。切り口の基底材とは逆の側は正面から見えるが、加工部２２は切り口を側面Ｆとは別の色で着色して目立たなくしてもよい。加工部２２はフィルム全体を同じ色にしてもよく、側面Ｆの色の変化が詳細にし、複数の側面Ｆにより複雑な画像を表示してもよい。
【００８５】
加工部２２は、複数の角柱状の透明材料の一面にＢ色を着色したものを並べて着色面と着色面の反対側の面とを接着し、平行な複数の側面Ｆが並んだ板状の造形物１００としてもよく、複数材料が並んだ面を研磨して平滑にしてもよく、周囲を透明樹脂で覆って図２６のようにしてもよい。加工部２２はさらに、このような板状材料を切断加工し、別の色で着色した同様の板状材料と側面Ｆの方向を変更して組み合わせ、図２０のようにしてもよい。
【００８６】
本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【産業上の利用可能性】
【００８７】
以上説明したように、本発明により、複数の方向から見ることで、色や絵柄がそれぞれの部分で変化して見えるという、これまでにない装飾的効果を奏する造形物を提供することができる。
これにより、たとえば看板・社名表示板・表札・案内板・掲示板・銘板等の各種サインに社名・人名や企業ロゴ等を表示する場合に、斬新な視覚的効果を付与することができる。また、そのような各種サインに写真画像を用いる場合や、記念品や贈り物等の写真加工品に、全く新しい意匠性を加えることもできる。装飾物・店舗等のガラス面の装飾・広告表示板・オブジェへの応用も可能である。中心部では溝部Ｇの側面がほぼ垂直であるが、周辺部では表面から裏面に向かって外側に広がるような溝の形状とした造形物は、特定の位置に目を位置させることをうながす用途に有用である。本発明は他にも、商品のブランドロゴ、自動車のエンブレム等、さまざまな分野に利用可能である。
【符号の説明】
【００８８】
１０  造形物製造装置
１１  画像取得部
１２  材料取得部
１３  加工部
２０  造形物製造装置
２１  画像取得部
２２  加工部
１  画像
２  材料
３  万線
１００  造形物
Ｌｙ１  表面層
Ｌｙ２  中間層
Ｌｙ３  裏面層
Ａ、Ｂ、Ｂ１、Ｂ２、Ｂ３、Ｂ４、Ｂ５、Ｂ６、Ｃ、Ｄ  色
Ｂｔ  底面
ｄ  側面の間隔
Ｆ、Ｆ０、Ｆ１、Ｆ２、Ｆ３、Ｆ４、Ｆ５、Ｆ６  側面
Ｆｉ  充填部
ｈ  側面の高さ
Ｇ、Ｇ１、Ｇ２、Ｇ３、Ｇ４  溝部
Ｐ、Ｐ１、Ｐ２、Ｐ３、Ｐ４  点
Ｐｔ  万線ピッチ
Ｒ  凸部
Ｓ、Ｓ１、Ｓ２  表面
Ｖ、Ｖ０、Ｖ１、Ｖ２、Ｖ３、Ｖ４、Ｖ５、Ｖ６、Ｖ７、Ｖ８、Ｖ９、Ｖ１０、Ｖ１１、Ｖ１２  観察者・視点
Ｔ  透明板
【図１】
2017213838.tif 000003
【図２】
2017213838.tif 000004
【図３】
2017213838.tif 000005
【図４】
2017213838.tif 000006
【図５】
2017213838.tif 000007
【図６】
2017213838.tif 000008
【図７】
2017213838.tif 000009
【図８】
2017213838.tif 000010
【図９】
2017213838.tif 000011
【図１０】
2017213838.tif 000012
【図１１】
2017213838.tif 000013
【図１２】
2017213838.tif 000014
【図１３】
2017213838.tif 000015
【図１４】
2017213838.tif 000016
【図１５】
2017213838.tif 000017
【図１６】
2017213838.tif 000018
【図１７】
2017213838.tif 000019
【図１８】
2017213838.tif 000020
【図１９】
2017213838.tif 000021
【図２０】
2017213838.tif 000022
【図２１】
2017213838.tif 000023
【図２２】
2017213838.tif 000024
【図２３】
2017213838.tif 000025
【図２４】
2017213838.tif 000026
【図２５】
2017213838.tif 000027
【図２６】
2017213838.tif 000028
【手続補正書】
【提出日】平成28年10月27日(2016.10.27)
【手続補正１】
【補正対象書類名】特許請求の範囲
【補正対象項目名】全文
【補正方法】変更
【補正の内容】
【特許請求の範囲】
【請求項１】
表面及び色面を有し、
該表面の少なくとも一部と該色面の少なくとも一部とが平行でなく、
少なくとも一部において該色面以外の部分が同じ色である
ことを特徴とする造形物。
【請求項２】
少なくとも一部において前記色面及び前記色面以外の部分の色が互いに異なる
請求項１に記載の造形物。
【請求項３】
少なくとも一部において前記色面及び前記色面以外の部分が同じ色である
請求項１又は２に記載の造形物。
【請求項４】
前記色面又は前記色面以外の部分の少なくとも一方の色が各部で異なる、
請求項１から３のいずれかに記載の造形物。
【請求項５】
少なくとも一部が透明か半透明か発光するか発光設備を備えるかの少なくともいずれかである、
請求項１から４のいずれかに記載の造形物。
【請求項６】
少なくとも一部において前記色面の間の少なくとも一部が透明又は半透明の固体で埋められている、
請求項１から５のいずれかに記載の造形物。
【請求項７】
少なくとも一部において単立色面狭長率が１／３以下である、
請求項１から６のいずれかに記載の造形物。
【請求項８】
少なくとも一部において単立色面狭長率が１／４以下である、
請求項１から７のいずれかに記載の造形物。
【請求項９】
前記色面の少なくとも一部が万線状・格子状・網点状・ドット状の少なくともいずれかである、
請求項１から８のいずれかに記載の造形物。
【請求項１０】
前記色面の１／２５以上が万線状・格子状・網点状・ドット状の少なくともいずれかである、
請求項１から９のいずれかに記載の造形物。
【請求項１１】
前記色面の少なくとも一部の前記表面と直交する方向の長さが前記色面の前記表面上の方向における間隔の１／４以上である、
請求項９又は１０に記載の造形物。
【請求項１２】
前記色面の少なくとも一部の前記表面と直交する方向の長さが前記色面の前記表面上の方向における間隔の１／３以上である、
請求項９から１１のいずれかに記載の造形物。
【請求項１３】
前記色面の方向が複数である、
請求項９から１２のいずれかに記載の造形物。
【請求項１４】
前記色面の方向が３以上である、
請求項９から１３のいずれかに記載の造形物。
【請求項１５】
前記複数の方向のうち少なくとも２つの方向のなす角度が７２°から１０８°である、
請求項１３又は１４に記載の造形物。
【請求項１６】
少なくとも一部において前記色面の方向が異なる複数の領域が互いにほぼ隣接している、
請求項１３から１５のいずれかに記載の造形物。
【請求項１７】
複数の部分領域を有し、少なくとも１つの部分領域と別の部分領域とで前記色面の色及び前記色面の方向が異なる、
請求項１３から１６のいずれかに記載の造形物。
【請求項１８】
複数の部分領域を有し、該複数の部分領域の少なくとも一部において、該複数の部分領域どうしの境界線の一方の側と他方の側との前記色面の前記表面上の方向が該境界線を軸とする線対称でないか、該境界線の一方の側と他方の側とで該境界線に接する前記色面の位相が異なるかの少なくとも一方である、
請求項１３から１７のいずれかに記載の造形物。
【請求項１９】
前記万線状・格子状・網点状・ドット状の少なくともいずれかである色面が万線状である、
請求項９から１８のいずれかに記載の造形物。
【請求項２０】
少なくとも一部において前記色面の１つの前記表面と平行な方向の長さが万線ピッチの２倍以上である、
請求項１９に記載の造形物。
【請求項２１】
少なくとも一部において前記色面がほぼ隣接する数が４以上である、
請求項９から２０のいずれかに記載の造形物。
【請求項２２】
請求項１から２１のいずれかに記載の造形物に対して複数の色の照明を照射する
ことを特徴とする造形物照明設備。
【請求項２３】
前記複数の色の照明の少なくとも１つの前記表面上の方向及び前記色面の前記表面上の方向が直交する、
請求項２２及び請求項９から２１のいずれかに記載の造形物照明設備。
【請求項２４】
それに基づいて加工すべき画像を取得する画像取得部と、
前記画像に基づいて材料の一部を除去し、表面及び色面を有し該表面の少なくとも一部と該色面の少なくとも一部とが平行でなく少なくとも一部において該色面以外の部分が同じ色である造形物を造形する加工部をそなえる
ことを特徴とする造形物製造装置。
【請求項２５】
それに基づいて加工すべき画像を取得する画像取得部と、
前記画像に基づいて材料を加工し、表面及び色面を有し該表面の少なくとも一部と該色面の少なくとも一部とが平行でなく少なくとも一部において該色面以外の部分が同じ色である造形物を造形する加工部をそなえる
ことを特徴とする造形物製造装置。
【請求項２６】
それに基づいて加工すべき画像を取得する画像取得工程と、
前記画像に基づいて材料の一部を除去し、表面及び色面を有し該表面の少なくとも一部と該色面の少なくとも一部とが平行でなく少なくとも一部において該色面以外の部分が同じ色である造形物を造形する加工工程をそなえる
ことを特徴とする造形物製造方法。
【請求項２７】
それに基づいて加工すべき画像を取得する画像取得工程と、
前記画像に基づいて材料を加工し、表面及び色面を有し該表面の少なくとも一部と該色面の少なくとも一部とが平行でなく少なくとも一部において該色面以外の部分が同じ色である造形物を造形する加工工程をそなえる
ことを特徴とする造形物製造方法。
【手続補正２】
【補正対象書類名】明細書
【補正対象項目名】０００７
【補正方法】変更
【補正の内容】
【０００７】
本発明の１つの態様は、表面及び色面を有し、該表面の少なくとも一部と該色面の少なくとも一部とが平行でなく、少なくとも一部において該色面以外の部分が同じ色であることを特徴とする造形物である。
【手続補正３】
【補正対象書類名】明細書
【補正対象項目名】０００８
【補正方法】変更
【補正の内容】
【０００８】
少なくとも一部において前記色面及び前記色面以外の部分の色が互いに異なってもよく、少なくとも一部において前記色面及び前記色面以外の部分が同じ色でもよく、前記色面又は前記色面以外の部分の少なくとも一方の色が各部で異なってもよい。また、前記造形物は、少なくとも一部が透明か半透明か発光するか発光設備を備えるかの少なくともいずれかでもよく、少なくとも一部において前記色面の間の少なくとも一部が透明又は半透明の固体で埋められていてもよく、少なくとも一部において単立色面狭長率が１／３以下でもよく、少なくとも一部において単立色面狭長率が１／４以下でもよい。
【手続補正４】
【補正対象書類名】明細書
【補正対象項目名】０００９
【補正方法】変更
【補正の内容】
【０００９】
また、前記色面の少なくとも一部が万線状・格子状・網点状・ドット状の少なくともいずれかでもよく、前記色面の１／２５以上が万線状・格子状・網点状・ドット状の少なくともいずれかでもよく、前記色面の少なくとも一部の前記表面と直交する方向の長さが前記色面の前記表面上の方向における間隔の１／４以上でもよく、前記色面の少なくとも一部の前記表面と直交する方向の長さが前記色面の前記表面上の方向における間隔の１／３以上でもよい。
【手続補正５】
【補正対象書類名】明細書
【補正対象項目名】００１０
【補正方法】変更
【補正の内容】
【００１０】
また、前記色面の方向が複数でもよく、３以上でもよく、前記複数の方向のうち少なくとも２つの方向のなす角度が７２°から１０８°でもよく、前記造形物の少なくとも一部において前記色面の方向が異なる複数の領域が互いにほぼ隣接してもよい。また、前記造形物は、複数の部分領域を有し、少なくとも１つの部分領域と別の部分領域とで前記色面又は前記色面以外の部分の少なくとも一方の色及び前記色面の方向が異なってもよく、複数の部分領域を有し、該複数の部分領域の少なくとも一部において、該複数の部分領域どうしの境界線の一方の側と他方の側との前記色面の方向が該境界線を軸とする線対称でないか、該境界線の一方の側と他方の側とで該境界線に接する前記色面の位相が異なるかの少なくとも一方でもよい。
【手続補正６】
【補正対象書類名】明細書
【補正対象項目名】００１１
【補正方法】変更
【補正の内容】
【００１１】
また、前記万線状・格子状・網点状・ドット状の少なくともいずれかである色面が万線状でもよく、少なくとも一部において前記色面の１つの前記表面と平行な方向の長さが万線ピッチの２倍以上でもよく、前記造形物の少なくとも一部において前記色面がほぼ隣接する数が４以上でもよい。
【手続補正７】
【補正対象書類名】明細書
【補正対象項目名】００１２
【補正方法】変更
【補正の内容】
【００１２】
本発明の別の態様は、前記造形物に対して複数の色の照明を照射することを特徴とする造形物照明設備である。この造形物照明設備では、前記複数の色の照明の少なくとも１つの前記表面上の方向及び前記色面の前記表面上の方向が直交してもよい。
【手続補正８】
【補正対象書類名】明細書
【補正対象項目名】００１３
【補正方法】変更
【補正の内容】
【００１３】
本発明の別の態様は、それに基づいて加工すべき画像を取得する画像取得部と、前記画像に基づいて材料の一部を除去し、表面及び色面を有し該表面の少なくとも一部と該色面の少なくとも一部とが平行でなく少なくとも一部において該色面以外の部分が同じ色である造形物を造形する加工部をそなえることを特徴とする造形物製造装置である。
【手続補正９】
【補正対象書類名】明細書
【補正対象項目名】００１４
【補正方法】変更
【補正の内容】
【００１４】
本発明の別の態様は、それに基づいて加工すべき画像を取得する画像取得部と、前記画像に基づいて材料を加工し、表面及び色面を有し該表面の少なくとも一部と該色面の少なくとも一部とが平行でなく少なくとも一部において該色面以外の部分が同じ色である造形物を造形する加工部をそなえることを特徴とする造形物製造装置である。
【手続補正１０】
【補正対象書類名】明細書
【補正対象項目名】００１５
【補正方法】変更
【補正の内容】
【００１５】
本発明の別の態様は、それに基づいて加工すべき画像を取得する画像取得工程と、前記画像に基づいて材料の一部を除去し、表面及び色面を有し該表面の少なくとも一部と該色面の少なくとも一部とが平行でなく少なくとも一部において該色面以外の部分が同じ色である造形物を造形する加工工程をそなえることを特徴とする造形物製造方法である。
【手続補正１１】
【補正対象書類名】明細書
【補正対象項目名】００１６
【補正方法】変更
【補正の内容】
【００１６】
本発明の別の態様は、それに基づいて加工すべき画像を取得する画像取得工程と、前記画像に基づいて材料を加工し、表面及び色面を有し該表面の少なくとも一部と該色面の少なくとも一部とが平行でなく少なくとも一部において該色面以外の部分が同じ色である造形物を造形する加工工程をそなえることを特徴とする造形物製造方法である。
【手続補正書】
【提出日】平成28年11月16日(2016.11.16)
【手続補正１】
【補正対象書類名】特許請求の範囲
【補正対象項目名】全文
【補正方法】変更
【補正の内容】
【特許請求の範囲】
【請求項１】
表面及び色面を有し、
該表面の少なくとも一部と該色面の少なくとも一部とが平行でなく、
少なくとも一部において該色面以外の部分が同じ色である
ことを特徴とする造形物。
【請求項２】
前記色面の少なくとも一部が万線状・格子状・網点状・ドット状の少なくともいずれかである、
請求項１に記載の造形物。
【請求項３】
前記色面の少なくとも一部が万線状である、
請求項１又は２に記載の造形物。
【請求項４】
前記色面の方向が複数である、
請求項１から３のいずれかに記載の造形物。
【請求項５】
前記色面の方向が複数であり、前記色面の複数の方向のうち少なくとも２つの方向のなす角度が７２°から１０８°である、
請求項１から４のいずれかに記載の造形物。
【請求項６】
少なくとも一部において、前記色面の方向が異なる複数の部分領域を有し、該複数の部分領域が互いにほぼ隣接している、
請求項１から５のいずれかに記載の造形物。
【請求項７】
前記色面の少なくとも一部の前記表面と直交する方向の長さが前記色面の前記表面上の方向における間隔の１／２以上である、
請求項１から６のいずれかに記載の造形物。
【請求項８】
前記色面の少なくとも一部の前記表面と直交する方向の長さが前記色面の前記表面上の方向における間隔以上である、
請求項１から７のいずれかに記載の造形物。
【請求項９】
複数の部分領域を有し、該複数の部分領域の少なくとも一部において、該複数の部分領域どうしの境界線の一方の側と他方の側との前記色面の前記表面上の方向が該境界線を軸とする線対称でないか、該境界線の一方の側と他方の側とで該境界線に接する前記色面の位相が異なるかの少なくとも一方である、
請求項１から８のいずれかに記載の造形物。
【請求項１０】
少なくとも一部において前記色面及び前記色面以外の部分の色が互いに異なる
請求項１から９のいずれかに記載の造形物。
【請求項１１】
前記色面又は前記色面以外の部分の少なくとも一方の色が各部で異なる、
請求項１から１０のいずれかに記載の造形物。
【請求項１２】
少なくとも一部において前記色面及び前記色面以外の部分が同じ色である
請求項１から１１のいずれかに記載の造形物。
【請求項１３】
複数の部分領域を有し、少なくとも１つの部分領域と別の部分領域とで前記色面の色及び前記色面の方向が異なる、
請求項１から１２のいずれかに記載の造形物。
【請求項１４】
少なくとも一部が透明か半透明か発光するか発光設備を備えるかの少なくともいずれかである、
請求項１から１３のいずれかに記載の造形物。
【請求項１５】
少なくとも一部において単立色面狭長率が１／４以下である、
請求項１から１４のいずれかに記載の造形物。
【請求項１６】
少なくとも一部において単立色面狭長率が１／８以下である、
請求項１から１５のいずれかに記載の造形物。
【請求項１７】
少なくとも一部において前記色面の間の少なくとも一部が透明又は半透明の固体で埋められている、
請求項１から１６のいずれかに記載の造形物。
【請求項１８】
少なくとも一部に半透明材が装着されている、
請求項１から１７のいずれかに記載の造形物。
【請求項１９】
前記色面の１／２５以上が万線状・格子状・網点状・ドット状の少なくともいずれかである、
請求項１から１８のいずれかに記載の造形物。
【請求項２０】
少なくとも一部において前記色面の１つの前記表面と平行な方向の長さが万線ピッチの２倍以上である、
請求項１から１９に記載の造形物。
【請求項２１】
少なくとも一部において前記色面がほぼ隣接する数が４以上である、
請求項１から２０のいずれかに記載の造形物。
【請求項２２】
請求項１から２１のいずれかに記載の造形物に対して複数の色の照明を照射する
ことを特徴とする造形物照明設備。
【請求項２３】
前記複数の色の照明の少なくとも１つの前記表面上の方向及び前記色面の前記表面上の方向が直交する、
請求項２２に記載の造形物照明設備。
【請求項２４】
それに基づいて加工すべき画像を取得する画像取得部と、
前記画像に基づいて材料の一部を除去し、表面及び色面を有し該表面の少なくとも一部と該色面の少なくとも一部とが平行でなく少なくとも一部において該色面以外の部分が同じ色である造形物を造形する加工部をそなえる
ことを特徴とする造形物製造装置。
【請求項２５】
それに基づいて加工すべき画像を取得する画像取得部と、
前記画像に基づいて材料を加工し、表面及び色面を有し該表面の少なくとも一部と該色面の少なくとも一部とが平行でなく少なくとも一部において該色面以外の部分が同じ色である造形物を造形する加工部をそなえる
ことを特徴とする造形物製造装置。
【請求項２６】
それに基づいて加工すべき画像を取得する画像取得工程と、
前記画像に基づいて材料の一部を除去し、表面及び色面を有し該表面の少なくとも一部と該色面の少なくとも一部とが平行でなく少なくとも一部において該色面以外の部分が同じ色である造形物を造形する加工工程をそなえる
ことを特徴とする造形物製造方法。
【請求項２７】
それに基づいて加工すべき画像を取得する画像取得工程と、
前記画像に基づいて材料を加工し、表面及び色面を有し該表面の少なくとも一部と該色面の少なくとも一部とが平行でなく少なくとも一部において該色面以外の部分が同じ色である造形物を造形する加工工程をそなえる
ことを特徴とする造形物製造方法。
【手続補正２】
【補正対象書類名】明細書
【補正対象項目名】０００８
【補正方法】変更
【補正の内容】
【０００８】
前記色面の少なくとも一部が万線状・格子状・網点状・ドット状の少なくともいずれかでもよく、前記色面の少なくとも一部が万線状でもよい。また、前記色面の方向が複数でもよく、前記色面の方向が複数であり、前記色面の複数の方向のうち少なくとも２つの方向のなす角度が７２°から１０８°でもよく、前記造形物は、少なくとも一部において、前記色面の方向が異なる複数の部分領域を有し、該複数の部分領域が互いにほぼ隣接してもよい。
【手続補正３】
【補正対象書類名】明細書
【補正対象項目名】０００９
【補正方法】変更
【補正の内容】
【０００９】
また、前記色面の少なくとも一部の前記表面と直交する方向の長さが前記色面の前記表面上の方向における間隔の１／２以上でもよく、前記色面の少なくとも一部の前記表面と直交する方向の長さが前記色面の前記表面上の方向における間隔以上でもよい。また、前記造形物は複数の部分領域を有し、該複数の部分領域の少なくとも一部において、該複数の部分領域どうしの境界線の一方の側と他方の側との前記色面の前記表面上の方向が該境界線を軸とする線対称でないか、該境界線の一方の側と他方の側とで該境界線に接する前記色面の位相が異なるかの少なくとも一方でもよい。
【手続補正４】
【補正対象書類名】明細書
【補正対象項目名】００１０
【補正方法】変更
【補正の内容】
【００１０】
また、前記造形物は、少なくとも一部において前記色面及び前記色面以外の部分の色が互いに異なってもよく、前記色面又は前記色面以外の部分の少なくとも一方の色が各部で異なってもよく、少なくとも一部において前記色面及び前記色面以外の部分が同じ色でもよく、複数の部分領域を有し、少なくとも１つの部分領域と別の部分領域とで前記色面の色及び前記色面の方向が異なってもよく、少なくとも一部が透明か半透明か発光するか発光設備を備えるかの少なくともいずれかでもよい。
【手続補正５】
【補正対象書類名】明細書
【補正対象項目名】００１１
【補正方法】変更
【補正の内容】
【００１１】
また、前記造形物は少なくとも一部において単立色面狭長率が１／４以下でもよく、１／８以下でもよい。また、前記造形物は少なくとも一部において前記色面の間の少なくとも一部が透明又は半透明の固体で埋められてもよく、少なくとも一部に半透明材が装着されてもよい。また、前記色面の１／２５以上が万線状・格子状・網点状・ドット状の少なくともいずれかでもよい。また、前記造形物の少なくとも一部において前記色面の１つの前記表面と平行な方向の長さが万線ピッチの２倍以上でもよい。また、前記造形物の少なくとも一部において前記色面がほぼ隣接する数が４以上でもよい。
【手続補正書】
【提出日】平成28年12月31日(2016.12.31)
【手続補正１】
【補正対象書類名】特許請求の範囲
【補正対象項目名】全文
【補正方法】変更
【補正の内容】
【特許請求の範囲】
【請求項１】
表面及び溝部を有する造形物であって、
該造形物の少なくとも一部において該表面と該溝部の少なくとも一部とが平行でなく、
該造形物の少なくとも一部において該溝部以外の部分が同じ色である
ことを特徴とする造形物。
【請求項２】
前記溝部の少なくとも一部が万線状・格子状・網点状・ドット状の少なくともいずれかである、
請求項１に記載の造形物。
【請求項３】
前記溝部の少なくとも一部が万線状である、
請求項１又は２に記載の造形物。
【請求項４】
前記溝部の方向が複数である、
請求項１から３のいずれかに記載の造形物。
【請求項５】
前記溝部の方向が複数であり、前記溝部の複数の方向のうち少なくとも２つの方向のなす角度が７２°から１０８°である、
請求項１から４のいずれかに記載の造形物。
【請求項６】
少なくとも一部において、前記溝部の方向が異なる複数の部分領域を有し、該複数の部分領域が互いにほぼ隣接している、
請求項１から５のいずれかに記載の造形物。
【請求項７】
前記溝部の少なくとも一部の前記表面と直交する方向の長さが前記溝部の前記表面上の方向における間隔の１／２以上である、
請求項１から６のいずれかに記載の造形物。
【請求項８】
前記溝部の少なくとも一部の前記表面と直交する方向の長さが前記溝部の前記表面上の方向における間隔以上である、
請求項１から７のいずれかに記載の造形物。
【請求項９】
複数の部分領域を有し、該複数の部分領域の少なくとも一部において、該複数の部分領域どうしの境界線の一方の側と他方の側との前記溝部の前記表面上の方向が該境界線を軸とする線対称でないか、該境界線の一方の側と他方の側とで該境界線に接する前記溝部の位相が異なるかの少なくとも一方である、
請求項１から８のいずれかに記載の造形物。
【請求項１０】
少なくとも一部において前記溝部及び前記溝部以外の部分の色が互いに異なる
請求項１から９のいずれかに記載の造形物。
【請求項１１】
前記溝部又は前記溝部以外の部分の少なくとも一方の色が各部で異なる、
請求項１から１０のいずれかに記載の造形物。
【請求項１２】
少なくとも一部において前記溝部及び前記溝部以外の部分が同じ色である
請求項１から１１のいずれかに記載の造形物。
【請求項１３】
複数の部分領域を有し、少なくとも１つの部分領域と別の部分領域とで前記溝部の色及び前記溝部の方向が異なる、
請求項１から１２のいずれかに記載の造形物。
【請求項１４】
少なくとも一部において前記溝部以外の部分が透過性を有する、
請求項１から１３のいずれかに記載の造形物。
【請求項１５】
少なくとも一部において単立色面狭長率が１／４以下である、
請求項１から１４のいずれかに記載の造形物。
【請求項１６】
少なくとも一部において単立色面狭長率が１／８以下である、
請求項１から１５のいずれかに記載の造形物。
【請求項１７】
少なくとも一部において前記溝部の間の少なくとも一部が透明又は半透明の固体で埋められている、
請求項１から１６のいずれかに記載の造形物。
【請求項１８】
請求項１から１７のいずれかに記載の造形物の少なくとも一部に半透明材が装着されている
ことを特徴とする造形物展示体。
【請求項１９】
前記溝部の１／２５以上が万線状・格子状・網点状・ドット状の少なくともいずれかである、
請求項１から１８のいずれかに記載の造形物。
【請求項２０】
少なくとも一部において前記溝部の１つの前記表面と平行な方向の長さが万線ピッチの２倍以上である、
請求項１から１９に記載の造形物。
【請求項２１】
少なくとも一部において前記溝部がほぼ隣接する数が４以上である、
請求項１から２０のいずれかに記載の造形物。
【請求項２２】
請求項１から２１のいずれかに記載の造形物及び該造形物に照明を照射する照明器具をそなえる
ことを特徴とする造形物照明設備。
【請求項２３】
請求項１から２１のいずれかに記載の造形物及び該造形物に複数の色の照明を照射する照明器具をそなえる
ことを特徴とする造形物照明設備。
【請求項２４】
それに基づいて加工すべき画像を取得する画像取得部と、
前記画像に基づいて材料の一部を除去し、表面及び溝部を有する造形物であって前記造形物の少なくとも一部において該表面と該溝部の少なくとも一部とが平行でなく該造形物の少なくとも一部において該溝部以外の部分が同じ色である造形物を造形する加工部をそなえる
ことを特徴とする造形物製造装置。
【請求項２５】
それに基づいて加工すべき画像を取得する画像取得部と、
前記画像に基づいて材料を加工し、表面及び溝部を有する造形物であって前記造形物の少なくとも一部において該表面と該溝部の少なくとも一部とが平行でなく該造形物の少なくとも一部において該溝部以外の部分が同じ色である造形物を造形する加工部をそなえる
ことを特徴とする造形物製造装置。
【請求項２６】
それに基づいて加工すべき画像を取得する画像取得工程と、
前記画像に基づいて材料の一部を除去し、表面及び溝部を有する造形物であって前記造形物の少なくとも一部において該表面と該溝部の少なくとも一部とが平行でなく該造形物の少なくとも一部において該溝部以外の部分が同じ色である造形物を造形する加工工程をそなえる
ことを特徴とする造形物製造方法。
【請求項２７】
それに基づいて加工すべき画像を取得する画像取得工程と、
前記画像に基づいて材料を加工し、表面及び溝部を有する造形物であって前記造形物の少なくとも一部において該表面と該溝部の少なくとも一部とが平行でなく該造形物の少なくとも一部において該溝部以外の部分が同じ色である造形物を造形する加工工程をそなえる
ことを特徴とする造形物製造方法。
【手続補正２】
【補正対象書類名】明細書
【補正対象項目名】０００７
【補正方法】変更
【補正の内容】
【０００７】
本発明の１つの態様は、表面及び溝部を有する造形物であって、該造形物の少なくとも一部において該表面と該溝部の少なくとも一部とが平行でなく、該造形物の少なくとも一部において該溝部以外の部分が同じ色であることを特徴とする造形物である。
【手続補正３】
【補正対象書類名】明細書
【補正対象項目名】０００８
【補正方法】変更
【補正の内容】
【０００８】
前記溝部の少なくとも一部が万線状・格子状・網点状・ドット状の少なくともいずれかでもよく、前記溝部の少なくとも一部が万線状でもよい。また、前記溝部の方向が複数でもよく、前記溝部の方向が複数であり、前記溝部の複数の方向のうち少なくとも２つの方向のなす角度が７２°から１０８°でもよく、前記造形物は、少なくとも一部において、前記溝部の方向が異なる複数の部分領域を有し、該複数の部分領域が互いにほぼ隣接してもよい。
【手続補正４】
【補正対象書類名】明細書
【補正対象項目名】０００９
【補正方法】変更
【補正の内容】
【０００９】
また、前記溝部の少なくとも一部の前記表面と直交する方向の長さが前記溝部の前記表面上の方向における間隔の１／２以上でもよく、前記溝部の少なくとも一部の前記表面と直交する方向の長さが前記溝部の前記表面上の方向における間隔以上でもよい。また、前記造形物は複数の部分領域を有し、該複数の部分領域の少なくとも一部において、該複数の部分領域どうしの境界線の一方の側と他方の側との前記溝部の前記表面上の方向が該境界線を軸とする線対称でないか、該境界線の一方の側と他方の側とで該境界線に接する前記溝部の位相が異なるかの少なくとも一方でもよい。
【手続補正５】
【補正対象書類名】明細書
【補正対象項目名】００１０
【補正方法】変更
【補正の内容】
【００１０】
また、前記造形物は、少なくとも一部において前記溝部及び前記溝部以外の部分の色が互いに異なってもよく、前記溝部又は前記溝部以外の部分の少なくとも一方の色が各部で異なってもよく、少なくとも一部において前記溝部及び前記溝部以外の部分が同じ色でもよく、複数の部分領域を有し、少なくとも１つの部分領域と別の部分領域とで前記溝部の色及び前記溝部の方向が異なってもよく、少なくとも一部において前記溝部以外の部分が透過性を有してもよい。
【手続補正６】
【補正対象書類名】明細書
【補正対象項目名】００１１
【補正方法】変更
【補正の内容】
【００１１】
また、前記造形物は少なくとも一部において単立色面狭長率が１／４以下でもよく、１／８以下でもよい。また、前記造形物は少なくとも一部において前記溝部の間の少なくとも一部が透明又は半透明の固体で埋められてもよく、少なくとも一部に半透明材が装着されてもよい。また、前記溝部の１／２５以上が万線状・格子状・網点状・ドット状の少なくともいずれかでもよい。また、前記造形物の少なくとも一部において前記溝部の１つの前記表面と平行な方向の長さが万線ピッチの２倍以上でもよい。また、前記造形物の少なくとも一部において前記溝部がほぼ隣接する数が４以上でもよい。
【手続補正７】
【補正対象書類名】明細書
【補正対象項目名】００１２
【補正方法】変更
【補正の内容】
【００１２】
本発明の別の態様は、以上のいずれかに記載の造形物及び該造形物に照明を照射する照明器具をそなえることを特徴とする造形物照明設備である。前記照明の色が複数でもよい。
【手続補正８】
【補正対象書類名】明細書
【補正対象項目名】００１３
【補正方法】変更
【補正の内容】
【００１３】
本発明の別の態様は、それに基づいて加工すべき画像を取得する画像取得部と、前記画像に基づいて材料の一部を除去し、表面及び溝部を有する造形物であって前記造形物の少なくとも一部において該表面と該溝部の少なくとも一部とが平行でなく該造形物の少なくとも一部において該溝部以外の部分が同じ色である造形物を造形する加工部をそなえることを特徴とする造形物製造装置である。
【手続補正９】
【補正対象書類名】明細書
【補正対象項目名】００１４
【補正方法】変更
【補正の内容】
【００１４】
本発明の別の態様は、それに基づいて加工すべき画像を取得する画像取得部と、前記画像に基づいて材料を加工し、表面及び溝部を有する造形物であって該造形物の少なくとも一部において該表面と該溝部の少なくとも一部とが平行でなく該造形物の少なくとも一部において該溝部以外の部分が同じ色である造形物を造形する加工部をそなえることを特徴とする造形物製造装置である。
【手続補正１０】
【補正対象書類名】明細書
【補正対象項目名】００１５
【補正方法】変更
【補正の内容】
【００１５】
本発明の別の態様は、それに基づいて加工すべき画像を取得する画像取得工程と、前記画像に基づいて材料の一部を除去し、表面及び溝部を有する造形物であって該造形物の少なくとも一部において該表面と該溝部の少なくとも一部とが平行でなく該造形物の少なくとも一部において該溝部以外の部分が同じ色である造形物を造形する加工工程をそなえることを特徴とする造形物製造方法である。
【手続補正１１】
【補正対象書類名】明細書
【補正対象項目名】００１６
【補正方法】変更
【補正の内容】
【００１６】
本発明の別の態様は、それに基づいて加工すべき画像を取得する画像取得工程と、前記画像に基づいて材料を加工し、表面及び溝部を有する造形物であって該造形物の少なくとも一部において該表面と該溝部の少なくとも一部とが平行でなく該造形物の少なくとも一部において該溝部以外の部分が同じ色である造形物を造形する加工工程をそなえることを特徴とする造形物製造方法である。
【手続補正書】
【提出日】平成29年3月22日(2017.3.22)
【手続補正１】
【補正対象書類名】特許請求の範囲
【補正対象項目名】全文
【補正方法】変更
【補正の内容】
【特許請求の範囲】
【請求項１】
表面及び溝部を有する造形物であって、
該造形物の少なくとも一部において該表面と該溝部の少なくとも一部とが平行でなく、
該造形物の少なくとも一部において該溝部以外の部分が同じ色である
ことを特徴とする造形物。
【請求項２】
少なくとも一部において前記溝部以外の部分が透過性を有する、
請求項１に記載の造形物。
【請求項３】
少なくとも一部において前記溝部により画像・文字・ロゴ・記号・図形又は模様の少なくともいずれかを表示する、
請求項１又は２に記載の造形物。
【請求項４】
少なくとも一部において画像に基づき前記溝部が形成された、
請求項１から３のいずれかに記載の造形物。
【請求項５】
少なくとも一部において前記溝部の各部が同じ色である、
請求項１から４のいずれかに記載の造形物。
【請求項６】
少なくとも一部において前記溝部の側面部及び前記溝部の底面部が同じ色である、
請求項１から５のいずれかに記載の造形物。
【請求項７】
少なくとも一部において前記溝部の深さが前記溝部の幅の４倍以上である、
請求項１から６のいずれかに記載の造形物。
【請求項８】
前記溝部の少なくとも一部が万線状・格子状・網点状・ドット状の少なくともいずれかである、
請求項１から７のいずれかに記載の造形物。
【請求項９】
前記溝部の少なくとも一部が万線状である、
請求項１から８のいずれかに記載の造形物。
【請求項１０】
前記溝部の方向が複数である、
請求項１から９のいずれかに記載の造形物。
【請求項１１】
前記溝部の方向が複数であり、前記溝部の複数の方向のうち少なくとも２つの方向のなす角度が７２°から１０８°である、
請求項１から１０のいずれかに記載の造形物。
【請求項１２】
少なくとも一部において、前記溝部の方向が異なる複数の部分領域を有し、該複数の部分領域が互いにほぼ隣接している、
請求項１から１１のいずれかに記載の造形物。
【請求項１３】
前記溝部の少なくとも一部の前記表面と直交する方向の長さが前記溝部の前記表面上の方向における間隔以上である、
請求項１から１２のいずれかに記載の造形物。
【請求項１４】
少なくとも一部において前記溝部及び前記溝部以外の部分の色が互いに異なる
請求項１から１３のいずれかに記載の造形物。
【請求項１５】
前記溝部又は前記溝部以外の部分の少なくとも一方の色が各部で異なる、
請求項１から１４のいずれかに記載の造形物。
【請求項１６】
少なくとも一部において前記溝部及び前記溝部以外の部分が同じ色である
請求項１から１５のいずれかに記載の造形物。
【請求項１７】
複数の部分領域を有し、少なくとも１つの部分領域と別の部分領域とで前記溝部の色及び前記溝部の方向が異なる、
請求項１から１６のいずれかに記載の造形物。
【請求項１８】
少なくとも一部において単立色面狭長率が１／４以下である、
請求項１から１７のいずれかに記載の造形物。
【請求項１９】
少なくとも一部において単立色面狭長率が１／８以下である、
請求項１から１８のいずれかに記載の造形物。
【請求項２０】
少なくとも一部において前記溝部の間の少なくとも一部が透明又は半透明の固体で埋められている、
請求項１から１９のいずれかに記載の造形物。
【請求項２１】
請求項１から２０のいずれかに記載の造形物の少なくとも一部に半透明材が装着されている
ことを特徴とする造形物展示体。
【請求項２２】
前記溝部の１／２５以上が万線状・格子状・網点状・ドット状の少なくともいずれかである、
請求項１から２１のいずれかに記載の造形物。
【請求項２３】
少なくとも一部において前記溝部の１つの前記表面と平行な方向の長さが万線ピッチの２倍以上である、
請求項１から２２のいずれかに記載の造形物。
【請求項２４】
少なくとも一部において前記溝部がほぼ隣接する数が４以上である、
請求項１から２３のいずれかに記載の造形物。
【請求項２５】
請求項１から２４のいずれかに記載の造形物及び該造形物に照明を照射する照明器具をそなえる
ことを特徴とする造形物照明設備。
【請求項２６】
請求項１から２４のいずれかに記載の造形物及び該造形物に複数の色の照明を照射する照明器具をそなえる
ことを特徴とする造形物照明設備。
【請求項２７】
それに基づいて加工すべき画像を取得する画像取得部と、
前記画像に基づいて材料の一部を除去し、表面及び溝部を有する造形物であって前記造形物の少なくとも一部において該表面と該溝部の少なくとも一部とが平行でなく該造形物の少なくとも一部において該溝部以外の部分が同じ色である造形物を造形する加工部をそなえる
ことを特徴とする造形物製造装置。
【請求項２８】
それに基づいて加工すべき画像を取得する画像取得部と、
前記画像に基づいて材料を加工し、表面及び溝部を有する造形物であって前記造形物の少なくとも一部において該表面と該溝部の少なくとも一部とが平行でなく該造形物の少なくとも一部において該溝部以外の部分が同じ色である造形物を造形する加工部をそなえる
ことを特徴とする造形物製造装置。
【請求項２９】
それに基づいて加工すべき画像を取得する画像取得工程と、
前記画像に基づいて材料の一部を除去し、表面及び溝部を有する造形物であって前記造形物の少なくとも一部において該表面と該溝部の少なくとも一部とが平行でなく該造形物の少なくとも一部において該溝部以外の部分が同じ色である造形物を造形する加工工程をそなえる
ことを特徴とする造形物製造方法。
【請求項３０】
それに基づいて加工すべき画像を取得する画像取得工程と、
前記画像に基づいて材料を加工し、表面及び溝部を有する造形物であって前記造形物の少なくとも一部において該表面と該溝部の少なくとも一部とが平行でなく該造形物の少なくとも一部において該溝部以外の部分が同じ色である造形物を造形する加工工程をそなえる
ことを特徴とする造形物製造方法。
【手続補正２】
【補正対象書類名】明細書
【補正対象項目名】０００８
【補正方法】変更
【補正の内容】
【０００８】
前記造形物は、少なくとも一部において前記溝部により画像・文字・ロゴ・記号・図形又は模様の少なくともいずれかを表示してもよく、画像に基づき前記溝部が形成されてもよい。また、前記造形物の少なくとも一部において前記溝部の各部が同じ色でもよく、前記溝部の側面部及び前記溝部の底面部が同じ色でもよく、前記溝部の深さが前記溝部の幅の４倍以上でもよい。前記溝部の少なくとも一部が万線状・格子状・網点状・ドット状の少なくともいずれかでもよく、前記溝部の少なくとも一部が万線状でもよい。また、前記溝部の方向が複数でもよく、前記溝部の方向が複数であり、前記溝部の複数の方向のうち少なくとも２つの方向のなす角度が７２°から１０８°でもよく、前記造形物は、少なくとも一部において、前記溝部の方向が異なる複数の部分領域を有し、該複数の部分領域が互いにほぼ隣接してもよい。
【手続補正書】
【提出日】平成29年4月24日(2017.4.24)
【手続補正１】
【補正対象書類名】特許請求の範囲
【補正対象項目名】全文
【補正方法】変更
【補正の内容】
【特許請求の範囲】
【請求項１】
表面及び溝部を有する造形物であって、
該造形物の少なくとも一部において該表面と該溝部の少なくとも一部とが平行でなく、
該造形物の少なくとも一部において該溝部以外の部分が同じ色である
ことを特徴とする造形物。
【請求項２】
少なくとも一部において前記溝部以外の部分が透過性を有する、
請求項１に記載の造形物。
【請求項３】
少なくとも一部において前記溝部が同じ色材で着色された、
請求項１又は２に記載の造形物。
【請求項４】
少なくとも一部において前記溝部が同じ色材で着色され、前記溝部以外の部分が該色材で着色されていない、
請求項１から３のいずれかに記載の造形物。
【請求項５】
少なくとも一部において前記溝部の各部が同じ色である、
請求項１から４のいずれかに記載の造形物。
【請求項６】
少なくとも一部において前記溝部の側面部及び前記溝部の底面部が同じ色である、
請求項１から５のいずれかに記載の造形物。
【請求項７】
少なくとも一部において前記溝部により画像・文字・ロゴ・記号・図形又は模様の少なくともいずれかを表示する、
請求項１から６のいずれかに記載の造形物。
【請求項８】
少なくとも一部において画像に基づき前記溝部が形成された、
請求項１から７のいずれかに記載の造形物。
【請求項９】
少なくとも一部において前記溝部の深さが前記溝部の幅の４倍以上である、
請求項１から８のいずれかに記載の造形物。
【請求項１０】
前記溝部の少なくとも一部が万線状・格子状・網点状・ドット状の少なくともいずれかである、
請求項１から９のいずれかに記載の造形物。
【請求項１１】
前記溝部の少なくとも一部が万線状である、
請求項１から１０のいずれかに記載の造形物。
【請求項１２】
前記溝部の方向が複数である、
請求項１から１１のいずれかに記載の造形物。
【請求項１３】
前記溝部の方向が複数であり、前記溝部の複数の方向のうち少なくとも２つの方向のなす角度が７２°から１０８°である、
請求項１から１２のいずれかに記載の造形物。
【請求項１４】
少なくとも一部において、前記溝部の方向が異なる複数の部分領域を有し、該複数の部分領域が互いにほぼ隣接している、
請求項１から１３のいずれかに記載の造形物。
【請求項１５】
前記溝部の少なくとも一部の前記表面と直交する方向の長さが前記溝部の前記表面上の方向における間隔以上である、
請求項１から１４のいずれかに記載の造形物。
【請求項１６】
少なくとも一部において前記溝部及び前記溝部以外の部分の色が互いに異なる
請求項１から１５のいずれかに記載の造形物。
【請求項１７】
前記溝部又は前記溝部以外の部分の少なくとも一方の色が各部で異なる、
請求項１から１６のいずれかに記載の造形物。
【請求項１８】
少なくとも一部において前記溝部及び前記溝部以外の部分が同じ色である
請求項１から１７のいずれかに記載の造形物。
【請求項１９】
複数の部分領域を有し、少なくとも１つの部分領域と別の部分領域とで前記溝部の色及び前記溝部の方向が異なる、
請求項１から１８のいずれかに記載の造形物。
【請求項２０】
少なくとも一部において単立色面狭長率が１／４以下である、
請求項１から１９のいずれかに記載の造形物。
【請求項２１】
少なくとも一部において単立色面狭長率が１／８以下である、
請求項１から２０のいずれかに記載の造形物。
【請求項２２】
少なくとも一部において前記溝部の間の少なくとも一部が透明又は半透明の固体で埋められている、
請求項１から２１のいずれかに記載の造形物。
【請求項２３】
請求項１から２２のいずれかに記載の造形物の少なくとも一部に半透明材が装着されている
ことを特徴とする造形物展示体。
【請求項２４】
前記溝部の１／２５以上が万線状・格子状・網点状・ドット状の少なくともいずれかである、
請求項１から２３のいずれかに記載の造形物。
【請求項２５】
少なくとも一部において前記溝部の１つの前記表面と平行な方向の長さが万線ピッチの２倍以上である、
請求項１から２３のいずれかに記載の造形物。
【請求項２６】
少なくとも一部において前記溝部がほぼ隣接する数が４以上である、
請求項１から２３のいずれかに記載の造形物。
【請求項２７】
請求項１から２４のいずれかに記載の造形物及び該造形物に照明を照射する照明器具をそなえる
ことを特徴とする造形物照明設備。
【請求項２８】
請求項１から２４のいずれかに記載の造形物及び該造形物に複数の色の照明を照射する照明器具をそなえる
ことを特徴とする造形物照明設備。
【請求項２９】
それに基づいて加工すべき画像を取得する画像取得部と、
前記画像に基づいて材料を加工し、表面及び溝部を有する造形物であって前記造形物の少なくとも一部において該表面と該溝部の少なくとも一部とが平行でなく該造形物の少なくとも一部において該溝部以外の部分が同じ色である造形物を造形する加工部をそなえる
ことを特徴とする造形物製造装置。
【請求項３０】
それに基づいて加工すべき画像を取得する画像取得工程と、
前記画像に基づいて材料を加工し、表面及び溝部を有する造形物であって前記造形物の少なくとも一部において該表面と該溝部の少なくとも一部とが平行でなく該造形物の少なくとも一部において該溝部以外の部分が同じ色である造形物を造形する加工工程をそなえる
ことを特徴とする造形物製造方法。
【手続補正２】
【補正対象書類名】明細書
【補正対象項目名】０００８
【補正方法】変更
【補正の内容】
【０００８】
前記造形物は、少なくとも一部において前記溝部により画像・文字・ロゴ・記号・図形又は模様の少なくともいずれかを表示してもよく、画像に基づき前記溝部が形成されてもよい。また、前記造形物の少なくとも一部において前記溝部が同じ色材で着色されてもよく、前記溝部が同じ色材で着色されかつ前記溝部以外の部分が該色材で着色されていなくてもよく、前記溝部の各部が同じ色でもよく、前記溝部の側面部及び前記溝部の底面部が同じ色でもよく、前記溝部の深さが前記溝部の幅の４倍以上でもよい。前記溝部の少なくとも一部が万線状・格子状・網点状・ドット状の少なくともいずれかでもよく、前記溝部の少なくとも一部が万線状でもよい。また、前記溝部の方向が複数でもよく、前記溝部の方向が複数であり、前記溝部の複数の方向のうち少なくとも２つの方向のなす角度が７２°から１０８°でもよく、前記造形物は、少なくとも一部において、前記溝部の方向が異なる複数の部分領域を有し、該複数の部分領域が互いにほぼ隣接してもよい。
【手続補正書】
【提出日】平成29年5月1日(2017.5.1)
【手続補正１】
【補正対象書類名】特許請求の範囲
【補正対象項目名】全文
【補正方法】変更
【補正の内容】
【特許請求の範囲】
【請求項１】
表面及び溝部を有する造形物であって、
該造形物の少なくとも一部において該表面と該溝部の少なくとも一部とが平行でなく、
複数の部分領域を有し、
少なくとも１つの部分領域と別の部分領域とで該溝部の色及び該溝部の方向が異なる、
ことを特徴とする造形物。
【請求項２】
少なくとも一部において前記溝部以外の部分が透過性を有する、
請求項１に記載の造形物。
【請求項３】
少なくとも一部において前記溝部により画像・文字・ロゴ・記号・図形又は模様の少なくともいずれかを表示する、
請求項１又は２に記載の造形物。
【請求項４】
前記溝部の少なくとも一部が万線状である、
請求項１から３のいずれかに記載の造形物。
【請求項５】
前記溝部の方向が複数であり、前記溝部の複数の方向のうち少なくとも２つの方向のなす角度が７２°から１０８°である、
請求項１から４のいずれかに記載の造形物。
【請求項６】
少なくとも一部において、前記溝部の方向が異なる複数の部分領域が互いにほぼ隣接している、
請求項１から５のいずれかに記載の造形物。
【請求項７】
少なくとも一部において前記溝部及び前記溝部以外の部分の色が互いに異なる
請求項１から６のいずれかに記載の造形物。
【請求項８】
前記溝部の少なくとも一部の前記表面と直交する方向の長さが前記溝部の前記表面上の方向における間隔以上である、
請求項１から７のいずれかに記載の造形物。
【請求項９】
請求項１から８のいずれかに記載の造形物及び該造形物に照明を照射する照明器具をそなえる
ことを特徴とする造形物展示体。
【請求項１０】
請求項１から８のいずれかに記載の造形物及び該造形物に複数の色の照明を照射する照明器具をそなえる
ことを特徴とする造形物展示体。
【請求項１１】
それに基づいて加工すべき画像を取得する画像取得部と、
前記画像に基づいて材料を加工し、表面及び溝部を有する造形物であって前記造形物の少なくとも一部において該表面と該溝部の少なくとも一部とが平行でなく複数の部分領域を有し少なくとも１つの部分領域と別の部分領域とで該溝部の色及び該溝部の方向が異なる造形物を造形する加工部をそなえる
ことを特徴とする造形物製造装置。
【請求項１２】
それに基づいて加工すべき画像を取得する画像取得工程と、
前記画像に基づいて材料を加工し、表面及び溝部を有する造形物であって前記造形物の少なくとも一部において該表面と該溝部の少なくとも一部とが平行でなく複数の部分領域を有し少なくとも１つの部分領域と別の部分領域とで該溝部の色及び該溝部の方向が異なる造形物を造形する加工工程をそなえる
ことを特徴とする造形物製造方法。
【手続補正２】
【補正対象書類名】明細書
【補正対象項目名】０００７
【補正方法】変更
【補正の内容】
【０００７】
本発明の１つの態様は、表面及び溝部を有する造形物であって、該造形物の少なくとも一部において該表面と該溝部の少なくとも一部とが平行でなく、複数の部分領域を有し、少なくとも１つの部分領域と別の部分領域とで該溝部の色及び該溝部の方向が異なることを特徴とする造形物である。
【手続補正３】
【補正対象書類名】明細書
【補正対象項目名】０００８
【補正方法】変更
【補正の内容】
【０００８】
前記造形物の少なくとも一部において前記溝部以外の部分が透過性を有してもよい。
【手続補正４】
【補正対象書類名】明細書
【補正対象項目名】０００９
【補正方法】変更
【補正の内容】
【０００９】
前記造形物の少なくとも一部において前記溝部により画像・文字・ロゴ・記号・図形又は模様の少なくともいずれかを表示してもよい。
【手続補正５】
【補正対象書類名】明細書
【補正対象項目名】００１０
【補正方法】変更
【補正の内容】
【００１０】
前記溝部の少なくとも一部が万線状でもよく、前記溝部の方向が複数であり、前記溝部の複数の方向のうち少なくとも２つの方向のなす角度が７２°から１０８°でもよい。
【手続補正６】
【補正対象書類名】明細書
【補正対象項目名】００１１
【補正方法】変更
【補正の内容】
【００１１】
前記造形物の少なくとも一部において、前記溝部の方向が異なる複数の部分領域が互いにほぼ隣接してもよく、前記溝部及び前記溝部以外の部分の色が互いに異なってもよい。
【手続補正７】
【補正対象書類名】明細書
【補正対象項目名】００１２
【補正方法】変更
【補正の内容】
【００１２】
前記溝部の少なくとも一部の前記表面と直交する方向の長さが前記溝部の前記表面上の方向における間隔以上でもよい。
【手続補正８】
【補正対象書類名】明細書
【補正対象項目名】００１３
【補正方法】変更
【補正の内容】
【００１３】
本発明の別の態様は、前記造形物及び該造形物に照明を照射する照明器具をそなえることを特徴とする造形物展示体である。
【手続補正９】
【補正対象書類名】明細書
【補正対象項目名】００１４
【補正方法】変更
【補正の内容】
【００１４】
本発明の別の態様は、前記造形物及び該造形物に複数の色の照明を照射する照明器具をそなえることを特徴とする造形物展示体である。
【手続補正１０】
【補正対象書類名】明細書
【補正対象項目名】００１５
【補正方法】変更
【補正の内容】
【００１５】
本発明の別の態様は、それに基づいて加工すべき画像を取得する画像取得部と、前記画像に基づいて材料を加工し、表面及び溝部を有する造形物であって前記造形物の少なくとも一部において該表面と該溝部の少なくとも一部とが平行でなく複数の部分領域を有し少なくとも１つの部分領域と別の部分領域とで該溝部の色及び該溝部の方向が異なる造形物を造形する加工部をそなえることを特徴とする造形物製造装置である。
【手続補正１１】
【補正対象書類名】明細書
【補正対象項目名】００１６
【補正方法】変更
【補正の内容】
【００１６】
本発明の別の態様は、それに基づいて加工すべき画像を取得する画像取得工程と、前記画像に基づいて材料を加工し、表面及び溝部を有する造形物であって前記造形物の少なくとも一部において該表面と該溝部の少なくとも一部とが平行でなく複数の部分領域を有し少なくとも１つの部分領域と別の部分領域とで該溝部の色及び該溝部の方向が異なる造形物を造形する加工工程をそなえることを特徴とする造形物製造方法である。
【手続補正書】
【提出日】平成29年5月3日(2017.5.3)
【手続補正１】
【補正対象書類名】特許請求の範囲
【補正対象項目名】全文
【補正方法】変更
【補正の内容】
【特許請求の範囲】
【請求項１】
表面及び溝部を有する造形物であって、
該造形物の少なくとも一部において該表面と該溝部の少なくとも一部とが平行でなく、
複数の部分領域を有し、
該複数の部分領域の少なくとも一部において、１つの部分領域と別の１つの部分領域とで該溝部の色及び該溝部の方向が異なる、
ことを特徴とする造形物。
【請求項２】
少なくとも一部において前記溝部以外の部分が透過性を有する、
請求項１に記載の造形物。
【請求項３】
少なくとも一部において前記溝部により画像・文字・ロゴ・記号・図形又は模様の少なくともいずれかを表示する、
請求項１又は２に記載の造形物。
【請求項４】
前記溝部の少なくとも一部が万線状である、
請求項１から３のいずれかに記載の造形物。
【請求項５】
前記溝部の方向が複数であり、前記溝部の複数の方向のうち少なくとも２つの方向のなす角度が７２°から１０８°である、
請求項１から４のいずれかに記載の造形物。
【請求項６】
少なくとも一部において、前記溝部の方向が異なる複数の部分領域が互いにほぼ隣接している、
請求項１から５のいずれかに記載の造形物。
【請求項７】
少なくとも一部において前記溝部及び前記溝部以外の部分の色が互いに異なる
請求項１から６のいずれかに記載の造形物。
【請求項８】
前記溝部の少なくとも一部の前記表面と直交する方向の長さが前記溝部の前記表面上の方向における間隔以上である、
請求項１から７のいずれかに記載の造形物。
【請求項９】
請求項１から８のいずれかに記載の造形物及び該造形物に照明を照射する照明器具をそなえる
ことを特徴とする造形物展示体。
【請求項１０】
請求項１から８のいずれかに記載の造形物及び該造形物に複数の色の照明を照射する照明器具をそなえる
ことを特徴とする造形物展示体。
【請求項１１】
それに基づいて加工すべき画像を取得する画像取得部と、
前記画像に基づいて材料を加工し、表面及び溝部を有する造形物であって該造形物の少なくとも一部において該表面と該溝部の少なくとも一部とが平行でなく複数の部分領域を有し該複数の部分領域の少なくとも一部において１つの部分領域と別の１つの部分領域とで該溝部の色及び該溝部の方向が異なる造形物を造形する加工部をそなえる
ことを特徴とする造形物製造装置。
【請求項１２】
それに基づいて加工すべき画像を取得する画像取得工程と、
前記画像に基づいて材料を加工し、表面及び溝部を有する造形物であって該造形物の少なくとも一部において該表面と該溝部の少なくとも一部とが平行でなく複数の部分領域を有し該複数の部分領域の少なくとも一部において１つの部分領域と別の１つの部分領域とで該溝部の色及び該溝部の方向が異なる造形物を造形する加工工程をそなえる
ことを特徴とする造形物製造方法。
【手続補正２】
【補正対象書類名】明細書
【補正対象項目名】０００７
【補正方法】変更
【補正の内容】
【０００７】
本発明の１つの態様は、表面及び溝部を有する造形物であって、該造形物の少なくとも一部において該表面と該溝部の少なくとも一部とが平行でなく、複数の部分領域を有し、該複数の部分領域の少なくとも一部において、１つの部分領域と別の１つの部分領域とで該溝部の色及び該溝部の方向が異なることを特徴とする造形物である。
【手続補正３】
【補正対象書類名】明細書
【補正対象項目名】００１５
【補正方法】変更
【補正の内容】
【００１５】
本発明の別の態様は、それに基づいて加工すべき画像を取得する画像取得部と、前記画像に基づいて材料を加工し、表面及び溝部を有する造形物であって前記造形物の少なくとも一部において該表面と該溝部の少なくとも一部とが平行でなく複数の部分領域を有し該複数の部分領域の少なくとも一部において１つの部分領域と別の１つの部分領域とで該溝部の色及び該溝部の方向が異なる造形物を造形する加工部をそなえることを特徴とする造形物製造装置である。
【手続補正４】
【補正対象書類名】明細書
【補正対象項目名】００１６
【補正方法】変更
【補正の内容】
【００１６】
本発明の別の態様は、それに基づいて加工すべき画像を取得する画像取得工程と、前記画像に基づいて材料を加工し、表面及び溝部を有する造形物であって前記造形物の少なくとも一部において該表面と該溝部の少なくとも一部とが平行でなく複数の部分領域を有し該複数の部分領域の少なくとも一部において１つの部分領域と別の１つの部分領域とで該溝部の色及び該溝部の方向が異なる造形物を造形する加工工程をそなえることを特徴とする造形物製造方法である。
【手続補正書】
【提出日】平成29年6月2日(2017.6.2)
【手続補正１】
【補正対象書類名】特許請求の範囲
【補正対象項目名】全文
【補正方法】変更
【補正の内容】
【特許請求の範囲】
【請求項１】
表面及び複数の溝部を有する造形物であって、
該造形物の少なくとも一部において該表面と該複数の溝部の少なくとも一部とが平行でなく、
該造形物が２以上の部分領域を有し、
該２以上の部分領域のうち複数の部分領域が該複数の溝部の一部を有し、
該複数の部分領域ごとに該複数の溝部の一部の色及び方向が異なる
ことを特徴とする造形物。
【請求項２】
少なくとも一部において前記複数の溝部以外の部分が透過性を有する、
請求項１に記載の造形物。
【請求項３】
少なくとも一部において前記複数の溝部により画像・文字・ロゴ・記号・図形又は模様の少なくともいずれかを表示する、
請求項１又は２に記載の造形物。
【請求項４】
前記複数の部分領域が画像に基づいており、
該画像に基づく複数の部分領域により画像・文字・ロゴ・記号・図形又は模様の少なくともいずれかを表示する、
請求項１から３のいずれかに記載の造形物。
【請求項５】
前記複数の部分領域の少なくとも一部において、前記複数の溝部の一部が互いに等距離である、
請求項１から４のいずれかに記載の造形物。
【請求項６】
前記溝部の複数の方向のうち少なくとも２つの方向のなす角度が７２°から１０８°である、
請求項１から５のいずれかに記載の造形物。
【請求項７】
少なくとも一部において前記溝部及び前記溝部以外の部分の色が互いに異なる
請求項１から６のいずれかに記載の造形物。
【請求項８】
前記溝部の少なくとも一部の前記表面と直交する方向の長さが前記溝部の前記表面上の方向における間隔以上である、
請求項１から７のいずれかに記載の造形物。
【請求項９】
請求項１から８のいずれかに記載の造形物及び該造形物に照明を照射する照明器具をそなえる
ことを特徴とする造形物展示体。
【請求項１０】
請求項１から８のいずれかに記載の造形物及び該造形物に複数の色の照明を照射する照明器具をそなえる
ことを特徴とする造形物展示体。
【請求項１１】
それに基づいて加工すべき画像を取得する画像取得部と、
該画像に基づいて材料を加工し、表面及び複数の溝部を有する造形物であって、該造形物の少なくとも一部において該表面と該複数の溝部の少なくとも一部とが平行でなく、該造形物が２以上の部分領域を有し、該２以上の部分領域のうち複数の部分領域が該複数の溝部の一部を有し、該複数の部分領域ごとに該複数の溝部の一部の色及び方向が異なることを特徴とする造形物を造形する加工部をそなえる
ことを特徴とする造形物製造装置。
【請求項１２】
それに基づいて加工すべき画像を取得する画像取得工程と、
該画像に基づいて材料を加工し、表面及び複数の溝部を有する造形物であって、該造形物の少なくとも一部において該表面と該複数の溝部の少なくとも一部とが平行でなく、該造形物が２以上の部分領域を有し、該２以上の部分領域のうち複数の部分領域が該複数の溝部の一部を有し、該複数の部分領域ごとに該複数の溝部の一部の色及び方向が異なることを特徴とする造形物を造形する加工工程をそなえる
ことを特徴とする造形物製造方法。
【手続補正２】
【補正対象書類名】明細書
【補正対象項目名】０００７
【補正方法】変更
【補正の内容】
【０００７】
本発明の１つの態様は、表面及び複数の溝部を有する造形物であって、該造形物の少なくとも一部において該表面と該複数の溝部の少なくとも一部とが平行でなく、該造形物が２以上の部分領域を有し、該２以上の部分領域のうち複数の部分領域が該複数の溝部の一部を有し、該複数の部分領域ごとに該複数の溝部の一部の色及び方向が異なることを特徴とする造形物である。
【手続補正３】
【補正対象書類名】明細書
【補正対象項目名】０００８
【補正方法】変更
【補正の内容】
【０００８】
前記造形物の少なくとも一部において前記複数の溝部以外の部分が透過性を有してもよい。
【手続補正４】
【補正対象書類名】明細書
【補正対象項目名】０００９
【補正方法】変更
【補正の内容】
【０００９】
前記造形物の少なくとも一部において前記複数の溝部により画像・文字・ロゴ・記号・図形又は模様の少なくともいずれかを表示してもよく、前記複数の部分領域が画像に基づいており、該画像に基づく複数の部分領域により画像・文字・ロゴ・記号・図形又は模様の少なくともいずれかを表示してもよい。
【手続補正５】
【補正対象書類名】明細書
【補正対象項目名】００１０
【補正方法】変更
【補正の内容】
【００１０】
前記複数の部分領域の少なくとも一部において、前記複数の溝部の一部が互いに等距離でもよい。
【手続補正６】
【補正対象書類名】明細書
【補正対象項目名】００１１
【補正方法】変更
【補正の内容】
【００１１】
前記溝部の複数の方向のうち少なくとも２つの方向のなす角度が７２°から１０８°でもよい。
【手続補正７】
【補正対象書類名】明細書
【補正対象項目名】００１５
【補正方法】変更
【補正の内容】
【００１５】
本発明の別の態様は、それに基づいて加工すべき画像を取得する画像取得部と、該画像に基づいて材料を加工し、表面及び複数の溝部を有する造形物であって、該造形物の少なくとも一部において該表面と該複数の溝部の少なくとも一部とが平行でなく、該造形物が２以上の部分領域を有し、該２以上の部分領域のうち複数の部分領域が該複数の溝部の一部を有し、該複数の部分領域ごとに該複数の溝部の一部の色及び方向が異なる造形物を造形する加工部をそなえることを特徴とする造形物製造装置である。
【手続補正８】
【補正対象書類名】明細書
【補正対象項目名】００１６
【補正方法】変更
【補正の内容】
【００１６】
本発明の別の態様は、それに基づいて加工すべき画像を取得する画像取得工程と、該画像に基づいて材料を加工し、表面及び複数の溝部を有する造形物であって、該造形物の少なくとも一部において該表面と該複数の溝部の少なくとも一部とが平行でなく、該造形物が２以上の部分領域を有し、該２以上の部分領域のうち複数の部分領域が該複数の溝部の一部を有し、該複数の部分領域ごとに該複数の溝部の一部の色及び方向が異なる造形物を造形する加工工程をそなえることを特徴とする造形物製造方法である。
【手続補正書】
【提出日】平成29年6月7日(2017.6.7)
【手続補正１】
【補正対象書類名】特許請求の範囲
【補正対象項目名】全文
【補正方法】変更
【補正の内容】
【特許請求の範囲】
【請求項１】
表面及び複数の溝部を有する造形物であって、
該造形物の少なくとも一部において該表面と該複数の溝部の少なくとも一部とが平行でなく、
該造形物が２以上の部分領域を有し、
該２以上の部分領域のうち複数の部分領域のそれぞれが該複数の溝部の一部を有し、
該複数の部分領域のそれぞれにおいて該複数の溝部の一部の色及び方向が同じであり、
該複数の部分領域ごとに該複数の溝部の一部の色及び方向が異なる
ことを特徴とする造形物。
【請求項２】
少なくとも一部において前記複数の溝部以外の部分が透過性を有する、
請求項１に記載の造形物。
【請求項３】
少なくとも一部において前記複数の溝部により画像・文字・ロゴ・記号・図形又は模様の少なくともいずれかを表示する、
請求項１又は２に記載の造形物。
【請求項４】
前記複数の部分領域が画像に基づいており、
該画像に基づく複数の部分領域により画像・文字・ロゴ・記号・図形又は模様の少なくともいずれかを表示する、
請求項１から３のいずれかに記載の造形物。
【請求項５】
前記複数の部分領域の少なくとも一部において、前記複数の溝部の一部が互いに等距離である、
請求項１から４のいずれかに記載の造形物。
【請求項６】
前記複数の溝部の複数の方向のうち少なくとも２つの方向のなす角度が７２°から１０８°である、
請求項１から５のいずれかに記載の造形物。
【請求項７】
少なくとも一部において前記複数の溝部及び前記複数の溝部以外の部分の色が互いに異なる
請求項１から６のいずれかに記載の造形物。
【請求項８】
請求項１から７のいずれかに記載の造形物及び該造形物に複数の色の照明を照射する照明器具をそなえる
ことを特徴とする造形物照明設備。
【請求項９】
表面及び複数の溝部を有する造形物であって、
該造形物の少なくとも一部において該表面と該複数の溝部の少なくとも一部とが平行でなく、
該造形物が２以上の部分領域を有し、
該２以上の部分領域のうち複数の部分領域のそれぞれが該複数の溝部の一部を有し、
該複数の部分領域のそれぞれにおいて該複数の溝部の一部の側面部の色及び方向の各々が同じであり、
該複数の部分領域ごとに該複数の溝部の一部の側面部の色及び方向が異なる
ことを特徴とする造形物。
【請求項１０】
表面及び複数の溝部を有する造形物であって、
該造形物の少なくとも一部において該表面と該複数の溝部の少なくとも一部とが平行でなく、
該造形物が２以上の部分領域を有し、
該２以上の部分領域のうち複数の部分領域のそれぞれが該複数の溝部の一部を有し、
該複数の部分領域のそれぞれにおいて該複数の溝部の一部の各部位の色がそれぞれの溝部の間で各々同じであり、
該複数の部分領域ごとに該複数の溝部の一部の各部位のうち少なくとも１つの部位の色が異なり、
該複数の部分領域ごとに該複数の溝部の一部の方向が異なる
ことを特徴とする造形物。
【請求項１１】
それに基づいて加工すべき画像を取得する画像取得部と、
該画像に基づいて材料を加工し、表面及び複数の溝部を有する造形物であって、該造形物の少なくとも一部において該表面と該複数の溝部の少なくとも一部とが平行でなく、該造形物が２以上の部分領域を有し、該２以上の部分領域のうち複数の部分領域のそれぞれが該複数の溝部の一部を有し、該複数の部分領域のそれぞれにおいて該複数の溝部の一部の色及び方向が同じであり、該複数の部分領域ごとに該複数の溝部の一部の色及び方向が異なることを特徴とする造形物を造形する加工部をそなえる
ことを特徴とする造形物製造装置。
【請求項１２】
それに基づいて加工すべき画像を取得する画像取得工程と、
該画像に基づいて材料を加工し、表面及び複数の溝部を有する造形物であって、該造形物の少なくとも一部において該表面と該複数の溝部の少なくとも一部とが平行でなく、該造形物が２以上の部分領域を有し、該２以上の部分領域のうち複数の部分領域のそれぞれが該複数の溝部の一部を有し、該複数の部分領域のそれぞれにおいて該複数の溝部の一部の色及び方向が同じであり、該複数の部分領域ごとに該複数の溝部の一部の色及び方向が異なることを特徴とする造形物を造形する加工工程をそなえる
ことを特徴とする造形物製造方法。
【手続補正２】
【補正対象書類名】明細書
【補正対象項目名】０００７
【補正方法】変更
【補正の内容】
【０００７】
本発明の１つの態様は、表面及び複数の溝部を有する造形物であって、該造形物の少なくとも一部において該表面と該複数の溝部の少なくとも一部とが平行でなく、該造形物が２以上の部分領域を有し、該２以上の部分領域のうち複数の部分領域のそれぞれが該複数の溝部の一部を有し、該複数の部分領域のそれぞれにおいて該複数の溝部の一部の色及び方向が同じであり、該複数の部分領域ごとに該複数の溝部の一部の色及び方向が異なることを特徴とする造形物である。
【手続補正３】
【補正対象書類名】明細書
【補正対象項目名】００１１
【補正方法】変更
【補正の内容】
【００１１】
前記複数の溝部の複数の方向のうち少なくとも２つの方向のなす角度が７２°から１０８°でもよく、前記造形物の少なくとも一部において前記複数の溝部及び前記複数の溝部以外の部分の色が互いに異なってもよい。
【手続補正４】
【補正対象書類名】明細書
【補正対象項目名】００１２
【補正方法】変更
【補正の内容】
【００１２】
本発明の別の態様は、前記造形物及び該造形物に複数の色の照明を照射する照明器具をそなえることを特徴とする造形物照明設備である。
【手続補正５】
【補正対象書類名】明細書
【補正対象項目名】００１３
【補正方法】変更
【補正の内容】
【００１３】
本発明の別の態様は、表面及び複数の溝部を有する造形物であって、該造形物の少なくとも一部において該表面と該複数の溝部の少なくとも一部とが平行でなく、該造形物が２以上の部分領域を有し、該２以上の部分領域のうち複数の部分領域のそれぞれが該複数の溝部の一部を有し、該複数の部分領域のそれぞれにおいて該複数の溝部の一部の側面部の色及び方向の各々が同じであり、該複数の部分領域ごとに該複数の溝部の一部の側面部の色及び方向が異なることを特徴とする造形物である。
【手続補正６】
【補正対象書類名】明細書
【補正対象項目名】００１４
【補正方法】変更
【補正の内容】
【００１４】
本発明の別の態様は、表面及び複数の溝部を有する造形物であって、該造形物の少なくとも一部において該表面と該複数の溝部の少なくとも一部とが平行でなく、該造形物が２以上の部分領域を有し、該２以上の部分領域のうち複数の部分領域のそれぞれが該複数の溝部の一部を有し、該複数の部分領域のそれぞれにおいて該複数の溝部の一部の各部位の色がそれぞれの溝部の間で各々同じであり、該複数の部分領域ごとに該複数の溝部の一部の各部位のうち少なくとも１つの部位の色が異なり、該複数の部分領域ごとに該複数の溝部の一部の方向が異なることを特徴とする造形物である。
【手続補正７】
【補正対象書類名】明細書
【補正対象項目名】００１５
【補正方法】変更
【補正の内容】
【００１５】
本発明の別の態様は、それに基づいて加工すべき画像を取得する画像取得部と、該画像に基づいて材料を加工し、表面及び複数の溝部を有する造形物であって、該造形物の少なくとも一部において該表面と該複数の溝部の少なくとも一部とが平行でなく、該造形物が２以上の部分領域を有し、該２以上の部分領域のうち複数の部分領域のそれぞれが該複数の溝部の一部を有し、該複数の部分領域のそれぞれにおいて該複数の溝部の一部の色及び方向が同じであり、該複数の部分領域ごとに該複数の溝部の一部の色及び方向が異なる造形物を造形する加工部をそなえることを特徴とする造形物製造装置である。
【手続補正８】
【補正対象書類名】明細書
【補正対象項目名】００１６
【補正方法】変更
【補正の内容】
【００１６】
本発明の別の態様は、それに基づいて加工すべき画像を取得する画像取得工程と、該画像に基づいて材料を加工し、表面及び複数の溝部を有する造形物であって、該造形物の少なくとも一部において該表面と該複数の溝部の少なくとも一部とが平行でなく、該造形物が２以上の部分領域を有し、該２以上の部分領域のうち複数の部分領域のそれぞれが該複数の溝部の一部を有し、該複数の部分領域のそれぞれにおいて該複数の溝部の一部の色及び方向が同じであり、該複数の部分領域ごとに該複数の溝部の一部の色及び方向が異なる造形物を造形する加工工程をそなえることを特徴とする造形物製造方法である。